(57)【要約】  本明細書において開示されるのは、追跡機能を有するロックデバイスである。一部の実施形態において、ロックデバイスは、ロックデバイスと係合し、ロックデバイスに物体を固定するように構成されたコネクタアームと、筐体とを含んでよい。筐体は、ロックデバイスに対してコネクタアームを解放可能に固定し、係合するように構成されたロック機構と、ロックデバイスからコネクタアームを解放し、脱離させるように構成された複数のロック解除機構とを含んでよい。また、筐体は、ロックデバイスの位置を決定するように構成された追跡モジュールと、複数のロック解除機構のうちの少なくとも１つの使用に応答してロックデバイスのユーザに探索アラート通知を提供するように構成された探索アラートモジュールと、ロックデバイスのユーザの指定された連絡先に遭難通知を提供するように構成された遭難モジュールと、コネクタアームと筐体のうちの少なくとも１つに対する許可のないアクセスを決定するように構成された不正変更モジュールと、ロックモジュール、追跡モジュール、探索アラートモジュール、遭難モジュール、および不正変更モジュールのうちの１つまたは複数を動作させるための信号を送受信するように構成された通信モジュールとを含んでもよい。
2020527206.tif 000002
【特許請求の範囲】
【請求項１】
ロックデバイスと係合し、前記ロックデバイスに物体を固定するように構成されたコネクタアームと、筐体とを備えるロックデバイスであって、前記筐体が、
前記筐体に対して前記コネクタアームを解放可能に固定し、係合するように構成されたロック機構と、前記筐体から前記コネクタアームを解放し、脱離させるように構成された複数のロック解除機構とを備えるロックモジュールと、
前記ロックモジュール、追跡モジュール、探索アラートモジュール、遭難モジュール、および不正変更モジュールのうちの１つまたは複数を動作させるための信号を送受信するように構成された通信モジュールとを備え、
前記追跡モジュールが、前記通信モジュールから送受信される１つまたは複数の信号に基づいて前記ロックデバイスの位置を決定するように構成され、
前記探索アラートモジュールが、前記ロックモジュールの前記複数のロック解除機構のうちの少なくとも１つの使用に応答して、前記ロックデバイスのユーザに探索アラート通知を提供するように構成され、
前記遭難モジュールが、前記通信モジュールを介して前記ロックデバイスの前記ユーザの指定された連絡先に遭難通知を提供するように構成され、
前記不正変更モジュールが、前記ロックモジュールの前記複数のロック解除機構のうちのいずれも関係させることなしに前記コネクタアームと前記筐体のうちの少なくとも１つにアクセスが行われたかどうかを決定し、前記通信モジュールを介して、前記複数のロック解除機構のうちのいずれも関係させることなしに前記コネクタアームと前記筐体のうちの少なくとも１つにアクセスが行われたと決定したことに応答して、前記ロックデバイスの前記ユーザに不正変更通知を提供するように構成される、ロックデバイス。
【請求項２】
前記複数のロック解除機構のなかからの一次ロック解除機構が、前記ロックデバイスの前記筐体における入力によって前記ロックデバイスの前記ユーザから電気機械入力を受信するように構成される、請求項１に記載のロックデバイス。
【請求項３】
前記電気機械入力が、前記筐体から前記コネクタアームを解放して、脱離させるために動作可能である前記筐体の外面上に配置された１つまたは複数のボタン上の所定のロック解除シーケンスの実行を備える、請求項２に記載のロックデバイス。
【請求項４】
前記複数のロック解除機構のなかからの二次ロック解除機構が、標準化された機械鍵を受けるように構成される、請求項１に記載のロックデバイス。
【請求項５】
前記二次ロック解除機構の使用が、前記ロックデバイスの前記ユーザに通知を提供するように前記探索アラートモジュールを起動させる、請求項４に記載のロックデバイス。
【請求項６】
前記複数のロック解除機構のなかからの三次ロック解除機構が、前記筐体から前記コネクタアームを解放し、脱離させるために構成されたワイヤレス信号を含む、請求項１に記載のロックデバイス。
【請求項７】
前記通信モジュールが、Ｂｌｕｅｔｏｏｔｈ（登録商標）通信プロトコル、狭帯域通信プロトコル、ＧＳＭ（登録商標）通信プロトコル、ＬＴＥ（登録商標）通信プロトコル、Ｗｉ−Ｆｉ（登録商標）通信プロトコル、および近距離通信プロトコルのうちの少なくとも１つを使用する動作のために構成される、請求項１に記載のロックデバイス。
【請求項８】
通信モジュールが、前記狭帯域通信プロトコル、前記ＧＳＭ（登録商標）通信プロトコル、前記ＬＴＥ（登録商標）通信プロトコル、および前記Ｗｉ−Ｆｉ（登録商標）通信プロトコルのうちの１つよりもＢｌｕｅｔｏｏｔｈ（登録商標）通信プロトコルおよび近距離通信プロトコルを使用する通信を優先するように構成される、請求項７に記載のロックデバイス。
【請求項９】
前記通信モジュールが、ＧＳＭ（登録商標）通信プロトコル、ＬＴＥ（登録商標）通信プロトコル、およびＷｉ−Ｆｉ（登録商標）通信プロトコルのうちの少なくとも１つよりも狭帯域通信プロトコルを使用する通信を優先するように構成される、請求項８に記載のロックデバイス。
【請求項１０】
前記筐体は、ジャイロスコープ、加速度計、および高度計のうちの少なくとも１つを備える、請求項１に記載のロックデバイス。
【請求項１１】
前記遭難通知が、前記筐体の外面上に配置された１つまたは複数の遭難ボタン上の所定のシーケンスの実行に応答して生成される、請求項１に記載のロックデバイス。
【請求項１２】
前記筐体が、前記ロックモジュール、前記探索アラートモジュール、前記追跡モジュール、前記通信モジュール、前記遭難モジュール、および前記不正変更モジュールのうちの少なくとも１つによって生成されるデータを記憶するように構成された非遷移的メモリを備える、請求項１に記載のロックデバイス。
【請求項１３】
ロックデバイスとユーザコンピューティングデバイスとを備えるシステムであって、
前記ロックデバイスが、
前記ロックデバイスと解放可能に係合し、前記ロックデバイスを物体に固定するように構成されたロック機構と、前記ロックデバイスから前記物体を解放し、脱離させるように構成された複数のロック解除機構とを有するロックモジュールと、
前記ロックモジュール、追跡モジュール、探索アラートモジュール、遭難モジュール、および不正変更モジュールのうちの１つまたは複数を動作させるための信号を送受信するように構成された通信モジュールとを備え、
前記追跡モジュールが、前記通信モジュールから送受信される１つまたは複数の信号に基づいて前記ロックデバイスの位置を決定するように構成され、
前記探索アラートモジュールが、前記ロックモジュールの前記複数のロック解除機構のうちの少なくとも１つの使用に応答して、前記ロックデバイスのユーザに探索アラート通知を提供するように構成され、
前記遭難モジュールが、前記通信モジュールを介して前記ロックデバイスの前記ユーザの指定された連絡先に遭難通知を提供するように構成され、
前記不正変更モジュールが、前記ロックモジュールの前記複数のロック解除機構のうちのいずれも関係させることなしに前記ロックデバイスにアクセスが行われたかどうかを決定し、前記通信モジュールを介して、前記複数のロック解除機構のうちのいずれも関係させることなしに前記ロックデバイスにアクセスが行われたと決定したことに応答して、前記ロックデバイスの前記ユーザに不正変更通知を提供するように構成されるものであり、
前記ユーザコンピューティングデバイスが、前記ロックデバイスおよびサーバシステムに通信可能に結合されており、
前記ロックデバイスおよび前記サーバシステムから受信される前記ロックデバイスと関係するデータおよび情報を表示するように構成されたユーザインターフェースと、
前記ロックデバイスの動作に基づいて前記ユーザインターフェース上に表示されるように構成された１つまたは複数のグラフィックスを生成するように構成された前記サーバシステムとを備え、
ここにおいて、前記ロックデバイスの動作が、前記ユーザインターフェースを介して前記サーバシステムと前記ユーザコンピューティングデバイスのうちの少なくとも１つによって提供されるユーザ選好およびユーザ設定に基づく、システム。
【請求項１４】
前記ユーザインターフェースが、前記ロックデバイスの前記追跡モジュールによって提供される追跡データを表示する、請求項１３に記載のシステム。
【請求項１５】
前記ユーザインターフェースが、前記遭難通知と探索アラート通知のうちの少なくとも１つを表示する、請求項１３に記載のシステム。
【請求項１６】
前記不正変更モジュールが、前記不正変更モジュールが、前記ロックデバイスに対する許可のないアクセスが存在したと決定した場合、不正変更通知を生成するように構成され、前記不正変更通知が、表示のために前記ユーザインターフェースに通信される、請求項１３に記載のシステム。
【請求項１７】
前記複数のロック解除機構のなかからの一次ロック解除機構が、前記ロックデバイスの筐体における入力によって前記ロックデバイスのユーザから電気機械入力を受信するように構成され、
前記複数のロック解除機構のなかからの二次ロック解除機構が、標準化された機械鍵を受けるように構成され、
前記複数のロック解除機構のなかからの三次ロック解除機構が、前記ロックデバイスから前記物体を解放し、脱離させるために構成されたワイヤレス信号を含む、請求項１３に記載のシステム。
【請求項１８】
前記通信モジュールが、前記通信モジュールが、Ｂｌｕｅｔｏｏｔｈ（登録商標）通信プロトコル、狭帯域通信プロトコル、ＧＳＭ（登録商標）通信プロトコル、ＬＴＥ（登録商標）通信プロトコル、Ｗｉ−Ｆｉ（登録商標）通信プロトコル、および近距離通信プロトコルのうちの少なくとも１つを使用する動作のために構成され、前記狭帯域通信プロトコル、前記ＧＳＭ（登録商標）通信プロトコル、前記ＬＴＥ（登録商標）通信プロトコル、および前記Ｗｉ−Ｆｉ（登録商標）通信プロトコルのうちの少なくとも１つよりもＢｌｕｅｔｏｏｔｈ（登録商標）通信プロトコルおよび近距離通信プロトコルを優先するように構成され、ＧＳＭ（登録商標）通信プロトコル、ＬＴＥ（登録商標）通信プロトコル、およびＷｉ−Ｆｉ（登録商標）通信プロトコルのうちの少なくとも１つよりも狭帯域通信プロトコルを使用する通信を優先するように構成される、階層型プロトコルをさらに備える、請求項１３に記載のシステム。
【請求項１９】
前記サーバシステムが、ファームウェア情報、ユーザ選好情報、およびロックデバイス情報のうちの少なくとも１つを記憶するように構成されたデータベースに通信可能に結合され、ここにおいて、ロックデバイス情報が、ユーザコンピューティングデバイスとロックデバイスの間の関連付けをさらに備える、請求項１３に記載のシステム。
【請求項２０】
前記ロックデバイスの前記ユーザの前記指定された連絡先が、前記ユーザインターフェースを介して前記ユーザによって前記ロックデバイスに提供される、請求項１３に記載のシステム。
【発明の詳細な説明】
【技術分野】
【０００１】
関連出願の相互参照
[0001]本開示は、参照により内容が本明細書に組み込まれている、２０１７年７月１４日に出願した米国仮特許出願第６２／５３２，８８１号の優先権を主張する。
【０００２】
[0002]本開示は、追跡機能を有するロックデバイスに関する。
【背景技術】
【０００３】
[0003]ロックデバイスは、配送、旅行、通勤、追跡、レクリエーション用途などにおいて使用されることが可能である。例えば、ロックデバイスは、荷物に付加されて、旅行者の物品に対する望ましくないアクセスを防止するように広く使用される。しかし、従来のロックデバイスは、かさばることなどの共通する欠点を抱えている。また、ロックデバイスは、追跡機能の方法が利用される場合、その方法に基づく限界がある可能性もある。従来のロックデバイスは、空港従業員を含む窃盗犯が、旅行者の荷物から旅行者の個人所有物を違法に持ち去るのを阻止するのに不十分であった。
【０００４】
[0004]例えば、一部の従来のロックデバイスは、デバイスをロック解除するように鍵が使用されたとき、そのことを示すことが可能であるが、追跡機能をまったく提供せず、このため、盗まれた荷物を取り戻す機会をまったく提供しない。さらに、従来のロックシステムは、内蔵カメラを包含することが可能であるが、ロックのユーザに情報を通信するための手段を提供しない可能性がある。さらに、従来のロックシステムは、全地球測位システム（ＧＰＳ）技術の限界のため、限られた通信能力および追跡能力を有する可能性がある（すなわち、それらのシステムは、屋外用途に限定される可能性がある）。他のロックシステムは、追跡および通信を提供することが可能であるが、荷物物品の間で移転可能ではなく、物品が空港従業員によってロック解除されたとき、そのことをユーザに知らせることができない可能性がある。
【発明の概要】
【０００５】
[0005]本開示は、一般に、追跡機能を含むことが可能なロックを対象とする。実施例は、荷物ロックを含む。
【０００６】
[0006]一部の実施形態において、ロックデバイスは、コネクタアームと、筐体とを含む。コネクタアームが、ロックデバイスと係合し、ロックデバイスに物体を固定するように構成されてよい。筐体は、筐体に対してコネクタアームを解放可能に固定し、係合するように構成されたロック機構と、筐体からコネクタアームを解放し、脱離させるように構成された複数のロック解除機構とを有するロックモジュールと、ロックモジュール、追跡モジュール、探索アラートモジュール、遭難モジュール、および不正変更モジュールのうちの１つまたは複数を動作させるための信号を送受信するように構成された通信モジュールとを含んでよく、追跡モジュールは、通信モジュールから送受信される１つまたは複数の信号に基づいてロックデバイスの位置を決定するように構成され、探索アラートモジュールは、ロックモジュールの複数のロック解除機構のうちの少なくとも１つの使用に応答して、ロックデバイスのユーザに探索アラート通知を提供するように構成され、遭難モジュールは、通信モジュールを介してロックデバイスのユーザの指定された連絡先に遭難通知を提供するように構成され、不正変更モジュールは、ロックモジュールの複数のロック解除機構のうちのいずれも関係させることなしにコネクタアームと筐体のうちの少なくとも１つにアクセスが行われたかどうかを決定し、通信モジュールを介して、複数のロック解除機構のうちのいずれも関係させることなしにコネクタアームと筐体のうちの少なくとも１つにアクセスが行われたと決定したことに応答して、ロックデバイスのユーザに不正変更通知を提供するように構成される。
【０００７】
[0007]一部の実施形態において、複数のロック解除機構のなかからの一次ロック解除機構が、ロックデバイスのユーザからロックデバイスの筐体における入力によって電気機械入力を受信するように構成される。電気機械入力は、筐体からコネクタアームを解放し、脱離させるために操作可能である筐体の外面上に配置された１つまたは複数のボタン上で、所定のロック解除シーケンスを実行することを含む。複数のロック解除機構のなかからの二次ロック解除機構が、標準化された機械鍵を受け取るように構成される。さらに、二次ロック解除機構の使用が、探索アラートモジュールがロックデバイスのユーザに通知を提供することを開始させる。複数のロック解除機構のなかからの三次ロック解除機構が、筐体からコネクタアームを解放し、脱離させるために構成されたワイヤレス信号を含む。
【０００８】
[0008]一部の実施形態において、通信モジュールは、Ｂｌｕｅｔｏｏｔｈ（登録商標）通信プロトコル、狭帯域通信プロトコル、ＧＳＭ（登録商標）通信プロトコル、ＬＴＥ（登録商標）通信プロトコル、Ｗｉ−Ｆｉ（登録商標）通信プロトコル、および近距離通信プロトコルのうちの少なくとも１つを使用する動作のために構成される。通信モジュールは、狭帯域通信プロトコル、ＧＳＭ（登録商標）通信プロトコル、ＬＴＥ（登録商標）通信プロトコル、およびＷｉ−Ｆｉ（登録商標）通信プロトコルのうちの少なくとも１つよりもＢｌｕｅｔｏｏｔｈ（登録商標）通信プロトコルおよび近距離通信プロトコルを優先するように構成されてよい。通信モジュールは、ＧＳＭ（登録商標）通信プロトコル、ＬＴＥ（登録商標）通信プロトコル、およびＷｉ−Ｆｉ（登録商標）通信プロトコルのうちの少なくとも１つよりも狭帯域通信プロトコルを使用する通信を優先するように構成されてよい。筐体は、ジャイロスコープ、加速度計、および高度計のうちの少なくとも１つを備える。遭難通知は、筐体の外面上に配置された１つまたは複数の遭難ボタン上の所定のシーケンスの実行に応答して生成される。筐体は、ロックモジュール、探索アラートモジュール、追跡モジュール、通信モジュール、遭難モジュール、および不正変更モジュールのうちの少なくとも１つによって生成されたデータを記憶するように構成された非過渡的メモリを備える。
【０００９】
[0009]一部の実施形態において、システムは、ロックデバイスと、ユーザコンピューティングデバイスと、サーバシステムとを含む。一部の実施形態において、ロックデバイスは、ロックデバイスを物体に解放可能に係合させ、固定するように構成されたロック機構と、ロックデバイスから物体を解放し、脱離させるように構成された複数のロック解除機構とを有するロックモジュールを含んでよい。また、ロックデバイスは、ロックモジュール、追跡モジュール、探索アラートモジュール、遭難モジュール、および不正変更モジュールのうちの１つまたは複数を動作させるための信号を送受信するように構成された通信モジュールを含んでもよく、追跡モジュールは、通信モジュールから送受信される１つまたは複数の信号に基づいてロックデバイスの位置を決定するように構成され、探索アラートモジュールは、ロックモジュールの複数のロック解除機構のうちの少なくとも１つの使用に応答して、ロックデバイスのユーザに探索アラート通知を提供するように構成され、遭難モジュールは、通信モジュールを介してロックデバイスのユーザの指定された連絡先に遭難通知を提供するように構成され、不正変更モジュールは、ロックモジュールの複数のロック解除機構のうちのいずれも関係させることなしにロックデバイスにアクセスが行われたかどうかを決定し、通信モジュールを介して、複数のロック解除機構のうちのいずれも関係させることなしにロックデバイスにアクセスが行われたと決定したことに応答して、ロックデバイスのユーザに不正変更通知を提供するように構成される。ユーザコンピューティングデバイスは、ロックデバイスおよびサーバシステムに通信可能に結合されてよく、ロックデバイスおよびサーバシステムから受信されるロックデバイスと関係するデータおよび情報を表示するように構成されたユーザインターフェースを含んでよい。サーバシステムは、ロックデバイスの動作に基づいてユーザインターフェース上に表示されるように構成された１つまたは複数のグラフィックスを生成するように構成されてよい。ロックデバイスの動作は、ユーザインターフェースを介してサーバシステムとユーザコンピューティングデバイスのうちの少なくとも１つによって提供されるユーザ選好およびユーザ設定に基づいてよい。
【００１０】
[0010]一部の実施形態において、ユーザインターフェースは、ロックデバイスの追跡モジュールによって提供される追跡データを表示する。一部の実施形態において、ユーザインターフェースは、遭難通知と探索アラート通知のうちの少なくとも１つを表示する。一部の実施形態において、不正変更モジュールは、不正変更モジュールが、ロックデバイスに対する許可のないアクセスが存在したと決定した場合、不正変更通知を生成するように構成され、不正変更通知は、表示のためにユーザインターフェースに通信される。一部の実施形態において、複数のロック解除機構のなかからの一次ロック解除機構が、ロックデバイスのユーザからロックデバイスの筐体における入力によって電気機械入力を受信するように構成され、複数のロック解除機構のなかからの二次ロック解除機構が、標準化された機械鍵を受け取るように構成され、複数のロック解除機構のなかからの三次ロック解除機構が、ロックデバイスから物体を解放し、脱離させるために構成されたワイヤレス信号を含む。一部の実施形態において、通信モジュールは、通信モジュールが、Ｂｌｕｅｔｏｏｔｈ（登録商標）通信プロトコル、狭帯域通信プロトコル、ＧＳＭ（登録商標）通信プロトコル、ＬＴＥ（登録商標）通信プロトコル、Ｗｉ−Ｆｉ（登録商標）通信プロトコル、および近距離通信プロトコルのうちの少なくとも１つを使用する動作のために構成され、狭帯域通信プロトコル、ＧＳＭ（登録商標）通信プロトコル、ＬＴＥ（登録商標）通信プロトコル、およびＷｉ−Ｆｉ（登録商標）通信プロトコルのうちの少なくとも１つよりもＢｌｕｅｔｏｏｔｈ（登録商標）通信プロトコルおよび近距離通信プロトコルを使用する通信を優先するように構成され、ＧＳＭ（登録商標）通信プロトコル、ＬＴＥ（登録商標）通信プロトコル、およびＷｉ−Ｆｉ（登録商標）通信プロトコルのうちの少なくとも１つよりも狭帯域通信プロトコルを使用する通信を優先するように構成される、階層型プロトコルをさらに備える。一部の実施形態において、サーバシステムは、ファームウェア情報、ユーザ選好情報、およびロックデバイス情報のうちの少なくとも１つを記憶するように構成されたデータベースに通信可能に結合され、ロックデバイス情報は、ユーザコンピューティングデバイスとロックデバイスの間の関連付けをさらに備える。一部の実施形態において、ロックデバイスのユーザの指定された連絡先が、ユーザインターフェースを介してユーザによってロックデバイスに提供される。
【００１１】
[0011]本開示のこれら、およびその他のさらなる特徴ならびに利点が、添付の図面と合わせて理解される、後段の詳細な説明から当業者には明白となろう。
【図面の簡単な説明】
【００１２】
【図１】[0012]本開示の態様によるロックデバイスを含むシステムに関するシステム図。
【図２Ａ】[0013]本開示の態様によるロックデバイスの実施形態を示す正面斜視図。
【図２Ｂ】[0014]本開示の態様によるロックデバイスの実施形態を示す後面斜視図。
【図２Ｃ】[0015]本開示の態様によるロックデバイスの実施形態を示す上面図。
【図２Ｄ】[0016]本開示の態様によるロックデバイスの実施形態を示す下面図。
【図２Ｅ】[0017]本開示の態様によるロックデバイスの実施形態を示す第１の側面図。
【図２Ｆ】[0018]本開示の態様によるロックデバイスの実施形態を示す第２の側面図。
【図２Ｇ】[0019]本開示の態様によるロックデバイスの実施形態を示す第３の側面図。
【図２Ｈ】[0020]本開示の態様によるロックデバイスの実施形態を示す下面図。
【図２Ｉ】[0021]本開示の態様によるロックデバイスの実施形態を示す上面斜視図。
【図２Ｊ】[0022]本開示の態様によるロックデバイスの実施形態を示す第１の側面図。
【図２Ｋ】[0023]本開示の態様によるロックデバイスの実施形態を示す第２の側面図。
【図２Ｌ】[0024]本開示の態様によるロックデバイスの実施形態を示す第３の側面図。
【図３】[0025]本開示の態様によるロックデバイスの実施形態を示す斜視図。
【図４Ａ】[0026]本開示によるロックデバイスの一実施形態を示す正面図。
【図４Ｂ】[0027]見るためにケースが部分的に透明に示された、図４Ａに示されるロックデバイスを示す正面図。
【図４Ｃ】[0028]見るためにケースが部分的に透明に示された、図４Ａおよび図４Ｂに示されるロックデバイスを示す背面図。
【図５】[0029]本開示によるロックデバイスの別の実施形態を示す正面図。
【図６Ａ】[0030]本開示の実施形態によるモバイルアプリケーションに関連付けられた第１の画面を示す図。
【図６Ｂ】[0031]本開示の実施形態によるモバイルアプリケーションに関連付けられた第１の画面を示す図。
【図６Ｃ】[0032]本開示の実施形態によるモバイルアプリケーションに関連付けられた第１の画面を示す図。
【図６Ｄ】[0033]本開示の実施形態によるモバイルアプリケーションに関連付けられた第１の画面を示す図。
【図６Ｅ】[0034]本開示の実施形態によるモバイルアプリケーションに関連付けられた第１の画面を示す図。
【図６Ｆ】[0035]本開示の実施形態によるモバイルアプリケーションに関連付けられた第１の画面を示す図。
【図６Ｇ】[0036]本開示の実施形態によるモバイルアプリケーションに関連付けられた第１の画面を示す図。
【図６Ｈ】[0037]本開示の実施形態によるモバイルアプリケーションに関連付けられた第１の画面を示す図。
【図６Ｉ】[0038]本開示の実施形態によるモバイルアプリケーションに関連付けられた第１の画面を示す図。
【図７】[0039]本開示の実施形態によるコンピューティングシステムを示す図。
【発明を実施するための形態】
【００１３】
[0040]本開示は、追跡機能を有するロックデバイスを対象とし、より詳細には、追跡機能を有する荷物ロックに関する。
【００１４】
[0041]本開示は、全地球測位システム（「ＧＰＳ」）、グローバルシステムフォーモバイルコミュニケーションズ（「ＧＳＭ（登録商標）」）、Ｗｉ−Ｆｉ（登録商標）、Ｂｌｕｅｔｏｏｔｈ（登録商標）、狭帯域通信（ＮＢ）などのうちの１つまたは複数を利用する、追跡能力と、通信能力とを有するロックデバイスについて説明する。本開示の実施形態によるロックの様々な実施形態は、ロックを担持する物体のセキュリティを高めることが可能であり、ロックデバイスの追跡を可能にし、それゆえ、ロックデバイスが付加されることが可能な任意の物体（例えば、個人、荷物）の追跡を可能にする。開示されるロックデバイスのさらなる能力は、遭難事象および／またはロックデバイスの不正変更が生じた場合の通知能力およびアラート能力を含む。
【００１５】
[0042]一部の実施形態において、ロックデバイスは、互いに独立に動作するように構成された複数のロック解除機構を含んでよい。また、ロックデバイスは、追跡モジュール、センサ、探索アラートモジュール、通信モジュール、遭難モジュール、および不正変更モジュールのうちの１つまたは複数を含んでもよい。ロックデバイスは、ユーザコンピューティングデバイス（例えば、モバイル電話、ラップトップ、タブレット）を介してユーザにアラートまたは通知を提供するように構成されてよい。
【００１６】
[0043]本開示は、いくつかの実施形態を参照して本明細書において説明されるが、本開示は、異なる多くの形態において実施されてよく、本明細書に記載される実施形態に限定されるものと解釈されるべきものではないことを理解されたい。本明細書におけるデバイスおよび要素は、示されるものを超えて様々な形状およびサイズを有してよい。また、層、領域、ケース、カバー、フレームなどの特徴もしくは要素、またはそれ以外が、別の要素の「上」にあることが述べられる可能性がある場合、それは、直に他方の要素の上にあることが可能であり、または介在する要素が存在してもよいことを理解されたい。さらに、「内側」、「外側」、「上側」、「上方」、「下側」、「下」、および「下方」、ならびに類似した用語が、１つの要素の別の要素に対する関係を説明するのに本明細書において使用されることが可能である。これらの用語は、図に示される方向に加えて、デバイスの様々な方向を包含するように意図されることを理解されたい。
【００１７】
[0044]第１の、第２の、その他の用語が、様々な要素、構成要素、領域、層、および／またはセクションについて説明するのに使用されることが可能であるが、これらの要素、構成要素、領域、層、および／またはセクションは、これらの用語によって限定されるべきではない。これらの用語は、１つの要素、構成要素、領域、層、またはセクションを別の領域、層、またはセクションから区別するようにだけ使用される。このため、後段で説明される第１の要素、構成要素、領域、層、またはセクションは、本開示の教示を逸脱することなく、第２の要素、構成要素、領域、層、またはセクションと名付けられることも可能である。
【００１８】
[0045]脈絡がそうでないことを明確に要求するのでない限り、本説明および特許請求の範囲の全体にわたって、「備える」、「備えた」、「含む」、「含んだ」などの語は、排他的な意味、または網羅的な意味ではなく、包含的な意味で、すなわち、「含むが、それらには限定されない」という意味で解釈されるものとする。単数または複数を使用する語は、それぞれ、複数または単数も含む。「各」という語が要素について述べるのに使用される場合、そのことは、複数のそれらの要素を必ずしも暗示するわけではなく、単一の要素を意味することも可能である。
【００１９】
[0046]図１は、１つまたは複数のロックデバイス１０１を含むシステム１００に関するシステム図である。図１に示されるとおり、ロックデバイス１０１は、モバイルスマートフォン、タブレット、ラップトップ、およびそれに類するものなどのユーザコンピューティングデバイス１０３に通信可能に結合されてよい。一部の実施形態において、ユーザコンピューティングデバイス１０３とロックデバイス１０１の間の直接の結合は、Ｂｌｕｅｔｏｏｔｈ（登録商標）接続または近距離通信（ＮＦＣ）接続、およびそれに類するものを利用してよい。ユーザコンピューティングデバイス１０３は、ロックデバイス１０１と通信するように構成されたユーザインターフェース１１１を含んでよい。また、ロックデバイス１０１は、ネットワーク１０５を介してサーバシステム１０７と通信状態にあってもよい。Ｂｌｕｅｔｏｏｔｈ（登録商標）経由またはＮＦＣ経由のユーザコンピューティングデバイス１０３とロックデバイス１０１の間の直接の通信リンクが利用可能でない場合、ユーザコンピューティングデバイス１０３とロックデバイス１０１は、ネットワーク１０５を介して通信してもよい。サーバシステム１０７は、１つまたは複数のユーザコンピューティングデバイス１０３にそれぞれが結合された複数のロックデバイス１０１と通信状態にあるように構成されてよい。さらに、ユーザコンピューティングデバイス１０３は、ネットワーク１０５を介してサーバシステム１０７に通信可能に結合されてよい。図１には単一のユーザコンピューティングデバイス１０３および単一のロックデバイス１０１が示されるものの、システム１００は、複数のユーザコンピューティングデバイス１０３および複数のロックデバイス１０１を含んでよいことを理解されたい。
【００２０】
[0047]ネットワーク１０５は、アドホックネットワーク、イントラネット、エクストラネット、仮想プライベートネットワーク（ＶＰＮ）、ローカルエリアネットワーク（ＬＡＮ）、ワイヤレスＬＡＮ（ＷＬＡＮ）、ワイドエリアネットワーク（ＷＡＮ）、ワイヤレスＷＡＮ（ＷＷＡＮ）、メトロポリタンエリアネットワーク（ＭＡＮ）、インターネット、インターネットの一部分、公衆交換電話網（ＰＳＴＮ）の一部分、普通の従来の電話サービス（ＰＯＴＳ）ネットワーク、セルラ電話ネットワーク、ワイヤレスネットワーク、Ｗｉ−Ｆｉ（登録商標）ネットワーク、別のタイプのネットワーク、または２つ以上のそのようなネットワークの組合せを含んでよく、あるいはそのようなネットワークまたはそのようなネットワークの組合せと連携して動作してよい。
【００２１】
[0048]サーバシステム１０７は、ロックデバイスからデータを受信し、そのデータ更新するように構成されたロックデバイスアップデータ１３１と、ユーザインターフェース１３３の構成要素を生成するように構成されたユーザインターフェースジェネレータモジュール１３３とを含むように構成されてよい。
【００２２】
[0049]サーバシステム１０７は、ファームウェア情報、ユーザ選好情報、およびロックデバイス情報、およびそれに類するものを記憶するように構成されたデータベース１０９に結合されてよい。データベース１０９は、ロックデバイス情報およびユーザコンピューティングデバイス情報を記憶するように構成されてよい。例えば、ロックデバイスの通し番号が、ロックデバイスに関連付けられたユーザ電話番号またはＳＩＭカード情報に応じて記憶されてよい。ユーザ選好は、ユーザ名、アドレス、連絡先、料金請求情報、セルラネットワーク情報、セルラネットワークキャリアデータ、およびそれに類するものを含んでよい。データベース１０９に記憶されるデータは、暗号化されてよい。
【００２３】
[0050]一部の実施形態において、サーバシステムおよび／またはデータベース１０９は、ウェブサーバ上、クラウドストレージシステム上、およびそれに類するものの上に構成されてよい。
【００２４】
[0051]ロックデバイス１０１は、電気機械構成要素および／またはソフトウェア構成要素を有する１つ以上のモジュールを含んでよい。ロックデバイス１０１の構成要素は、ロックモジュール１１３、探索アラートモジュール１１５、電源モジュール１１７、追跡モジュール１１９、ストレージデバイス１２１、通信モジュール１２３、センサ１２５、遭難モジュール１２７、および不正変更モジュール１２９のうちの１つまたは複数を含んでよい。また、ロックデバイス１０１は、マイクロコントローラ、中央処理装置、内蔵充電回路、サーミスタ、発光ダイオード（ＬＥＤ）インジケータ、および／またはコネクタを含んでもよい。
【００２５】
[0052]ロックデバイス１０１は、ロックデバイス１０１に物体を可逆的に係合させ、固定するように構成されたロックモジュール１１３を含んでよい。詳細には、ロックデバイス１０１は、筐体またはケースと、１つまたは複数のコネクタアーム（図２Ａ〜図３に関連してさらに説明される）を含んでよい。１つまたは複数のコネクタアームのそれぞれは、ロックデバイス１０１の筐体またはケースと可逆的に、しっかり係合するように構成されてよい。コネクタアームは、ロックデバイス１０１に１つまたは複数の物体を係合させ、固定するようにさらに構成されてよい。ロックモジュール１１３は、ロックデバイス上に配置された係合ポイントとコネクタアームをしっかりと係合させる（さらに脱離させる）ように構成された電気機構、機械機構、および／または電気機械機構を含んでよい。一部の実施形態において、係合ポイントは、ロックデバイスの筐体の外面に沿って配置されてよい。
【００２６】
[0053]一部の実施形態において、ロックデバイス１０１を係合させる、またはロックするのに、接続アーム（図２〜図３に示されるコネクタアームなどの）の終端部分が、ロックデバイス１０１の筐体上に配置された係合ポイントに滑り込み、係合してよい。ロックされた位置にあるとき、接続アームは、ロック機構を係合ポイントに接続する。一部の実施形態において、ロック解除された位置にある場合、接続アームは、係合ポイントに垂直に滑り込む、もしくはそこから垂直に滑り出ること、および／またはそこにおいて回転することが可能である。接続アームは、係合ポイントから取外し可能であってよい。接続アームは、金属材料、複合材料、プラスチック材料、またはその他の材料であってよい。例えば、接続デバイスは、コイル状金属線、または編み組みスチールケーブルであってよい。接続アームは、ロックモジュール１１３にしっかり係合することを可能にし、ロック解除機構の動作なしにロックデバイス１０１から脱離することを防止する溝またはその他の特徴を包含してよい。
【００２７】
[0054]ロックモジュール１１３は、筐体の係合ポイント内に収容されたばね仕掛けのピンを係合させること、および脱離させることを行うように構成された電気アクチュエータ（例えば、ソレノイド、モータ）を含んでよい。アクチュエータが「脱離させられた」位置または「ロック解除された」位置にあるとき、ピンは、コネクタデバイスの終端（例えば、編み組みスチールケーブルの終端に位置付けられた円筒状の留め具）を解放するように構成されてよい。アクチュエータが「係合させられた」位置または「ロックされた」位置にあるとき、ピンは、コネクタアームの終端を保持するように構成されてよい。一部の実施形態において、電気アクチュエータは、ロックモジュール１１３のロック解除機構およびロック機構から受信される信号に基づいて動作させられるように構成されてよい。
【００２８】
[0055]ロック機構が任意の様態でロック解除されると、一部の実施形態において、ロック機構がロックされたときにロック機構内で、またはロック機構に前に固定された接続アームの終端部分が、ロック機構から引き出され、このため、ロックデバイス１０１全体をロック解除することが可能であるように、接続解除されるようになることが可能である。本明細書において説明される複数のロック解除機構に関して、旧来型のロック機能と非旧来型のロック機能の両方が可能であることを理解されたい。さらに、接続アームを利用しないロックデバイスも可能であるとともに、他のスタイルの接続デバイスも可能であることも理解されたい。
【００２９】
[0056]ロックモジュール１１３は、複数のロック解除機構を含んでよい。一部の実施形態において、ロック解除機構はそれぞれの、互いに独立に動作してよい。従来のロック機構は、組合せ入力システムまたは鍵穴などの単一のロック解除機構を含むことが可能である一方で、本明細書において説明されるロックシステムの実施形態は、複数の方法でロック解除されることが可能なロック機構を含む。
【００３０】
[0057]ロックモジュール１１３は、一次ロック解除機構を含んでよい。一部の実施形態において、一次ロック解除機構は、ボタン押しの組合せ、または組合せロックなどの機械電気ロック解除機構であってよい。一部の実施形態において、一次ロック解除機構は、ロックデバイス１０１と直接に相互に作用することによってロックデバイス１０１をロック解除するようにユーザによって入力されるように構成されてよい。
【００３１】
[0058]例えば、一次ロック解除機構は、ユーザが、特定のパターン（順序および／またはタイミング）で押し下げることによって入力してよい、一連のボタン押しなどの機械的組合せを含んでよい。１つまたは複数のボタンが、一緒に押されても、個別に押されてもよい。一部の実施形態において、ロックデバイス１０１をロック解除するためのパターンは、ロックデバイス１０１のストレージデバイス１２１に記憶されてよい。パターンは、ユーザインターフェース１１１を使用して、またはロックデバイス１０１の初期設定／セットアップ中にロックデバイス１０１の１つまたは複数のボタンを所望されるパターンで押すことによって設定されてよい。機械的組合せは、ロックデバイス１０１をロック解除するように構成されてよい。一次ロック解除機構は、３つの数字の組合せロック解除機構、３つ以上、４つ以上、または５つ以上の入力を要求し、各入力が、例えば、０〜９からの数字などの数字、英語のアルファベットなどの文字、他の記号、またはそれらの組合せから選択される、組合せロック機構を含んでよい。さらなる数字、文字、およびその他の記号が可能であることを理解されたい。一部の実施形態において、機械的手段を使用する（例えば、組合せロック上で値を適切に位置付ける、ロックデバイス１０１の筐体上でボタンを適切に押し下げる）正しい組合せ、順序などの入力が、ロック機構をロック解除するように構成された電気信号を生成し、送信してよい。電気信号は、前述した電気アクチュエータによって受信され、処理されてよい。
【００３２】
[0059]二次ロック解除機構は、米国政府の運輸保安局（「ＴＳＡ」）などの権限者が、ロックデバイス１０１を壊すことなしに荷物を開ける標準化された様態であってよい。１つのそのような様態は、輸送中にロックを開ける必要がある可能性がある、ＴＳＡおよび類似した組織に利用可能なトラベルセントリ鍵を介してである。このため、二次ロック解除機構は、例えば、ＴＳＡおよび類似した組織に利用可能なトラベルセントリ鍵が、ロックデバイス１０１をロック解除すべく挿入され得る鍵穴であることが可能である。一部の実施形態において、鍵の挿入は、ロック機構を解放するための電気信号を生成してよい。一部の実施形態において、二次ロック解除機構に関連付けられた鍵穴は、ロックデバイス１０１のその他の電気構成要素から隔離されてよい。例えば、二次ロック解除機構の鍵穴とロックデバイス１０１の残りの構成要素の間に防水および防塵の防壁が形成されてよい。防水および防塵の防壁は、ポリカーボネートおよび／またはゴムシールを含んでよい。
【００３３】
[0060]三次ロック解除機構が、ロックデバイス１０１をロック解除すべくユーザコンピューティングデバイス１０３からロックデバイス１０１に信号を送信することを含んでよい。第３のロック解除機構は、デジタルタイプであってよい。例えば、ロック解除コードまたはロック解除コマンドが、ユーザコンピューティングデバイス１０３上で入力され、ロックデバイス１０１に通信されて、電気機械信号を使用してロックデバイス１０１をロック解除するのに使用されてよい。別の実施例において、ユーザコンピューティングデバイス１０３上のユーザインターフェース１１１が、選択されると、ロックデバイス１０１をロック解除すべくロックデバイス１０１に信号を送信することが可能なアイコンをユーザに提示してよい。代替として、またはさらに、ユーザが、ロックデバイス１０１をロック解除すべくロックデバイス１０１に信号を送信するためにユーザインターフェース１１１上でパスコードを入力してよい。ロック解除すること、および／またはロックすることは、ロックデバイス１０１のマイクロコントローラによって処理されてよい。例えば、マイクロコントローラは、ユーザコンピューティングデバイス１０３から、ロックデバイス１０１がロック解除されるべきでないことを示すＳＭＳ通信またはＢｌｕｅｔｏｏｔｈ（登録商標）通信を受信してよい。すると、マイクロコントローラは、スイッチを起動してよく、または前述したアクチュエータを変更してよい。
【００３４】
[0061]前述したロック解除機構は、互いに独立に動作してよい。例えば、一次ロック解除機構（例えば、筐体上のボタンを手動で押すこと）が、二次（例えば、ＴＳＡロック解除）および三次ロック解除機構（例えば、モバイルデバイスロック解除）とは独立に動作させられてよい。同様に、ロックデバイス１０１は、ロックデバイス１０１の一次ロック解除機構を使用してロックデバイス１０１をロック解除するのに適切な組合せまたはボタン押しを入力することなしに、ユーザコンピューティングデバイス１０３からコードを送信することなしに、トラベルセントリ鍵を介してロック解除されることが可能である。代替として、一部の実施形態において、ロックデバイス１０１は、一次ロック解除機構と三次ロック解除機構が揃って使用される場合に限り、ロックデバイス１０１がロック解除可能であるように構成されてよい。例えば、ユーザコンピューティングデバイス１０３からロックデバイス１０１にロック解除コードを送信する直前に、または送信した直後に特定のボタンシーケンスが押される必要があってよい。
【００３５】
[0062]ロックデバイス１０１は、鍵、指紋、パスワード、音声、顔認識、その他などの他のロック解除機構を含んでよいことをさらに理解されたい。
【００３６】
[0063]一部の実施形態において、ロックデバイス１０１は、探索アラートモジュール１１５を含んでよい。探索アラートモジュール１１５は、ロックデバイス１０１のユーザに、ロックデバイス１０１が、ロック機構（すなわち、二次ロック機構）をロック解除するようにトラベルセントリ鍵または類似した鍵を使用してアクセスされたという指示を提供するように構成されてよい。探索アラートモジュール１１５は、ロックデバイス１０１のユーザにアラートするように構成された探索アラートインジケータを含んでよい。探索アラートインジケータは、ロックデバイス１０１の筐体上に位置付けられた機械（例えば、回転パネル）構成要素または電気構成要素（例えば、ＬＥＤ）であってよい。また、探索アラートモジュール１１５は、ユーザインターフェース１１１に通知またはアラートを送信するように構成されてもよい。
【００３７】
[0064]一部の実施形態において、探索アラートインジケータは、一次ロック解除機構を介してのみ、インジケータの元の状態（不正変更、または、この事例では、鍵穴である、二次ロック解除機構を介して開けられたことの欠如を示す）に戻される、またはリセットされる。この事例において、探索アラートインジケータは、ユーザが、一連のボタン押しまたは組合せロック機構を使用してロック解除コードを入力した場合に限って、リセットされる。この構成は、ＴＳＡ係員などの、二次ロック解除機構を介してロックデバイス１０１を開ける人が、その人は、一次ロック解除機構（すなわち、一連のボタン押しまたは組合せ）を介してロックデバイス１０１をロック解除することができないので、ロックデバイス１０１が、デバイス１０１の所有者以外の誰かによって開けられたという指示を除去するのを防止することができる。一部の実施形態において、探索アラートインジケータは、明確に目に見える位置でロックデバイス１０１の筐体に沿って位置付けられてよい。代替として、探索アラートインジケータは、ロックデバイス１０１を許可なく開ける人が、ロックデバイス１０１を開けた後にインジケータに気づく可能性がより低いように、控え目に（デバイスの背面または底などに）配置されること、または見えないように隠されることさえ可能である。
【００３８】
[0065]探索アラートインジケータは、機械的に、電子的もしくは電気的に（本明細書において互いに区別なく使用される）、機械−電気組合せによって、またはその他の様態でトリガされてよい。電気トリガは、例えば、ロックデバイス１０１が、ロックデバイス１０１の二次ロック解除機構を介して（例えば、ＴＳＡセントリ鍵を介して）開けられたとき、電源モジュール１１７のバッテリと探索アラートインジケータの間の回路を閉じること、または開くことによって実行されてよい。この電子トリガは、次に、例えば、光ベースのインジケータ（例えば、ＬＥＤ）、色ベースのインジケータ、記号ベースのインジケータ、またはその他のインジケータに電源供給すること（またはそのようなインジケータから電源を外すこと）によって探索アラートインジケータの状態を変更することが可能である。電子探索アラートインジケータの動作のための要求される電力は、電源モジュール１１７のバッテリによって供給されてよい。別の実施形態において、探索アラートインジケータは、鍵穴におけるトラベルセントリ鍵または類似した鍵を介してロック解除されたとき、例えば、ばねを克服して、１つの状態から別の状態に旋回するようにロックモジュール１１３のロック機構の回転を利用することによって、機械的にトリガされてよい。機械的トリガは、着色されたウインドウが緑から赤に移行すること、または表示される記号の変化などの探索アラートインジケータにおける機械的移行、またはＬＥＤなどの光の状態の変化などの電子指示をもたらしてよい。これら２つのモード（電子と機械）の組合せが可能であり、その他のモード、およびそれらの組合せも可能である。一実施形態において、ロック機構を、ロック機構の一次ロック解除機構を介して、例えば、特定の一次ロック解除機構のための適切なパターンのボタンを押し下げることによってロック解除することは、探索アラート機構、およびその機構の探索アラートインジケータをトリガしない。トリガされた探索アラート機構は、その機構をトリガするモードにかかわらず、ユーザインターフェース１１１を介して表示され得る通知をユーザコンピューティングデバイス１０３に提供することによって、ロックデバイス１０１の所有者にアラートしてもよい。
【００３９】
[0066]一部の実施形態において、ロックデバイス１０１は、電源モジュール１１７を含んでよい。電源モジュール１１７は、ロックデバイス１０１の電子機器に電力を供給するように構成されたバッテリを含んでよい。バッテリは、リチウムイオン材料、リチウムイオンポリマ材料、アルカリ材料、および／またはその他の材料を含んでよく、充電可能、および／または交換可能であってよい。交換可能なバッテリは、ロックデバイス１０１のケースまたは筐体における開口を通してアクセスされて、交換されてよく、ケースまたは筐体は、この開口を遮蔽するカバーを含んでもよい。充電可能なバッテリは、例えば、ライトニングポートまたはＵＳＢポート（旧来のＵＳＢ、ミニＵＳＢ、およびマイクロＵＳＢを含むが、以上には限定されない）であってよい充電ポートを介して充電されてよい。また、ソーラ充電などの、有線充電機構とワイヤレス充電機構の両方を含む、他の充電機構も可能である。バッテリは、例えば、６５０ｍＡｈバッテリであってよく、または５００ｍＡｈから７５０ｍＡｈまでの間、または２５０ｍＡｈから１０００ｍＡｈまで、または１００ｍＡｈから２０００ｍＡｈまで、または２０００ｍＡｈ以上、または１００ｍＡｈ以下の電荷を有してよい。一部の実施形態において、バッテリは、少なくとも１０００回のフル使用充電のために構成された４００〜５００ｍＡｈの取外し可能な充電バッテリであってよい。これらの範囲外で充電する実施形態を含め、異なる多くの実施形態が可能である。
【００４０】
[0067]一部の実施形態において、ロックデバイス１０１は、追跡モジュール１１９を含んでよい。追跡モジュール１１９は、ロックデバイス１０１の現在の位置を決定すべく通信モジュール１２３の１つまたは複数のセンサ１２５および／または構成要素と対話してよい。追跡モジュール１１９は、全地球測位システム（ＧＰＳ）受信機および／または送信機を含んでよい。また、追跡データが、後の送信または取出しのために、追跡モジュール１１９内、またはストレージデバイス１２１内もしくはメモリチップ内などのロックデバイス１０１内に記憶されることも可能である。さらに、追跡データは、コードもしくはケーブルを介するなど、直接アップリンクを介して、またはＢｌｕｅｔｏｏｔｈ（登録商標）信号もしくは別のタイプの信号（ＧＳＭ（登録商標）、Ｗｉ−Ｆｉ（登録商標）、その他）を介するなど、ワイヤレスでユーザに送信されることが可能である。追跡データは、例えば、位置および時刻／日付データを含むことが可能であり、ただし、他の情報も可能である。一実施形態において、データは、ユーザコンピューティングデバイス１０３上のアプリケーションまたはユーザインターフェース１１１において視覚的に表現されることが可能である。
【００４１】
[0068]一部の実施形態において、ロックデバイス１０１は、コンピュータメモリを含むストレージデバイス１２１を含んでよい。ストレージデバイス１２１は、マイクロＳＤカード、小型ハードドライブ、または他の任意のストレージデバイスであってよい。ストレージデバイス１２１は、ロックデバイス１０１の筐体上に配置されたメモリチップ挿入スロットを通じて挿入されてよく、またはストレージデバイス１２１は、追跡モジュール１１９の一部として、もしくは追跡モジュール１１９に接続された構成要素として組み込まれることが可能である。写真に加えて、ストレージデバイス１２１は、ロックデバイス１０１によって生成された記録されたアラートおよび／または通知を記憶することが可能である。このことは、一部の実施形態においてロックデバイス１０１におけるＧＳＭ（登録商標）電子機器の必要性を解消することができる。内部ストレージデバイス、外部ストレージデバイス、および遠隔ストレージデバイスを含む他のタイプのストレージデバイスが可能である。
【００４２】
[0069]一部の実施形態において、ストレージデバイス１２１は、命令および／またはコード（すなわち、ファームウェア）を記憶するように構成されてよい。また、ストレージデバイス１２１は、ロックデバイス１０１のモジュールによって生成されたデータを記憶するように構成されてもよい。また、ロックデバイス１０１は、マイクロコントローラを含んでもよい。マイクロコントローラは、ロックデバイスの動作パラメータをセットアップする命令およびコード（すなわち、ファームウェア）で直接にプログラミングされてよい。一部の実施形態において、ファームウェアは、システムを制御し、電力入力を管理し、Ｂｌｕｅｔｏｏｔｈ（登録商標）通信、Ｗｉ−Ｆｉ（登録商標）通信、狭帯域通信、およびそれに類するものを介した通信を可能にし、アラートに関して、パラメータをセットアップして、センサ入力およびバッテリレベルについてクエリを行い、ＬＥＤインジケータを介してシステムステータスを通信するように構成された命令およびコードを含んでよい。マイクロコントローラは、通信を受信すること、送信すること、および中継することを行うようにさらに構成されてよい。
【００４３】
[0070]一部の実施形態において、ロックデバイス１０１は、通信モジュール１２３を含んでよい。通信モジュール１２３および／または追跡モジュール１１９は、全地球測位システム（ＧＰＳ）通信、グローバルシステムフォーモバイルコミュニケーションユニット（ＧＳＭ（登録商標））通信、Ｗｉ−Ｆｉ（登録商標）通信、Ｂｌｕｅｔｏｏｔｈ（登録商標）通信、狭帯域（ＮＢ）通信、ロングタームエボリューション（ＬＴＥ（登録商標））通信、およびそれに類するもののうちの１つまたは複数を含んでよい。一部の実施形態において、通信モジュール１２３は、ロックデバイス１０１に通信可能に結合されたユーザコンピューティングデバイス１０３および／またはサーバシステム１０７からテキストメッセージまたはショートメッセージサービス（ＳＭＳ）を受信するようにさらに構成されてよい。ＳＭＳ通信は、ロックデバイス１０１をロック解除する／ロックする命令、および／またはストレージデバイス１２１に記憶されたパラメータおよび設定を変更する命令を含んでよい。一部の実施形態において、ユーザコンピューティングデバイス１０３とロックデバイス１０１の間の通信は、Ｂｌｕｅｔｏｏｔｈ（登録商標）、および／またはＮＦＣなどの直接通信リンクが、ＮＢ、ＧＳＭ（登録商標）、Ｗｉ−Ｆｉ（登録商標）、ＬＴＥ（登録商標）、およびそれに類するものよりも優先される階層型通信プラットフォームを介して可能にされてよい。一部の実施形態において、ロックデバイス１０１は、Ｂｌｕｅｔｏｏｔｈ（登録商標）、ＮＢ、ＧＳＭ（登録商標）、Ｗｉ−Ｆｉ（登録商標）、ＬＴＥ（登録商標）、およびそれに類するものを使用してＳＭＳ通信を介してサーバシステム１０７と通信するように構成されてよい。一部の実施形態において、ロックデバイス１０１とサーバシステム１０７の間の通信は、階層型通信構造によってもよい。例えば、通信モジュール１２３は、ロックデバイス１０１がまず、ＮＢ通信を介してサーバシステム１０７と通信することを試みて、ＮＢ通信が利用可能でない場合、Ｗｉ−Ｆｉ（登録商標）、ＧＳＭ（登録商標）、ＬＴＥ（登録商標）、およびそれに類するものを使用して通信リンクを確立することを試みるように構成されてよい。通信モジュール１２３は、Ｂｌｕｅｔｏｏｔｈ（登録商標）モジュールおよびＷｉ−Ｆｉ（登録商標）モジュール、ならびにＮＢ通信チップセットを含んでよい。
【００４４】
[0071]さらに、一部の実施形態において、通信モジュール１２３は、少なくとも３つのアンテナを含んでよい。第１のアンテナは、セラミック構成要素を含んでよく、金属の妨げのない区域に位置付けられるように構成されてよい。セラミック構成要素を含む第１のアンテナは、全方向性アンテナではないことが可能であり、ＧＰＳ関連の信号を送受信するために使用されてよい。第２のアンテナは、Ｂｌｕｅｔｏｏｔｈ（登録商標）信号およびＷｉ−Ｆｉ（登録商標）信号のために構成されてよい。第３のアンテナは、ＮＢ／ＧＳＭ（登録商標）／ＬＴＥ（登録商標）関連の信号のために構成されてよい。これらのアンテナは、金属構成要素を含むように構成されてよく、デバイス１０１の外周部近くのデバイス１０１の筐体内に配置されてよい。一部の実施形態において、アンテナは、互いに非常に近接して構成されて、プラスチック構成要素および／または金属構成要素によって分離されてよい。
【００４５】
[0072]ＮＢ通信は、低い周波数で動作してよい。有利なこととして、従来のシステムと比較して、狭帯域技術を含む説明されるロックデバイス１０１は、セル塔アクセスのない区域において、多層建造物において、高い高度および低い高度で、海洋環境、およびそれに類するところで動作することができる可能性がある。さらに、ＮＢ通信モジュールは、通信のために従来の方法ほど多くのバッテリ寿命を要求しない可能性がある。さらに、ＮＢ通信は、ネットワークトラフィックによって受ける影響がそれほどではないことが可能な、より小さいデータ伝送を可能にすることができる可能性がある。ＮＢ通信は、屋内で機能し、低費用、長いバッテリ寿命、および通信のための高い接続密度の手段を提供することが可能である。ＮＢ通信は、２００ｋＨｚの狭帯域に制限されたＬＴＥ（登録商標）標準のサブセットを利用してよい。
【００４６】
[0073]前述したとおり、ロックデバイス１０１は、ロックデバイス１０１の位置を確立し、ユーザと遠隔で通信するのに様々な追跡技術を利用することが可能である。例えば、追跡モジュール１１９および／または通信モジュール１２３は、ロックデバイス１０１がロックデバイス１０１の位置を地球規模で確立することを可能にし得るＧＰＳを含んでよい。しかし、ＧＰＳは、ＧＰＳ信号が届かない可能性がある、屋内で使用するのが困難であり得る。さらに、ＧＰＳは、ロックデバイス１０１から発信される信号を送信する能力をまったく欠く可能性もある。
【００４７】
[0074]また、追跡モジュール１１９および／または通信モジュール１２３は、Ｗｉ−Ｆｉ（登録商標）を含んでもよい。Ｗｉ−Ｆｉ（登録商標）は、ロックデバイス１０１が、Ｗｉ−Ｆｉ（登録商標）メッシュネットワークを介してなど（しばしば、Ｗｉ−Ｆｉ（登録商標）ネットワークに完全にログインすることさえも、ネットワークの契約条件に同意することさえもすることなしに）、Ｗｉ−Ｆｉ（登録商標）信号が存在するときに、ロックデバイス１０１の位置を確立することを可能にし得る。Ｗｉ−Ｆｉ（登録商標）メッシュネットワークを介して、ネットワークを認識することによって、ネットワークに実際に接続することなしに、ロックデバイスによって着信する信号が利用されることが可能である。例えば、Ｗｉ−Ｆｉ（登録商標）測位システム（ＷＰＳ）またはＷｉＰＳ／ＷＦＰＳが、屋内（または、ＧＰＳ信号がアクセスされ得る所を含む他の場所）などの、ＧＰＳがアクセス可能でない可能性がある区域において位置を確立するために使用されることが可能である。ロックデバイス１０１は、ロックデバイス１０１がＷｉ−Ｆｉ（登録商標）ネットワークに完全にログインされ得る場合、または通信するのにそれ以外でＷｉ−Ｆｉ（登録商標）を使用することができる場合、Ｗｉ−Ｆｉ（登録商標）を利用してユーザにデータを通信するように構成されてよく、本開示による一部のデバイスは、通信のためにＷｉ−Ｆｉ（登録商標）をデバイスが利用するか否かを（契約条件に自動的に同意することなどによって）ユーザが設定することを可能にする。Ｗｉ−Ｆｉ（登録商標）通信は、例えば、着信する信号の認識であれ、発信される通信のための使用であれ、既成のデータパケットワイヤレス遠隔通信方法（例えば、ＨＳＵＰＡおよびＨＳＤＰＡなどの３Ｇ、ＬＴＥ（登録商標）、ＬＴＥ（登録商標）アドバンスト、ＨＳＤＰＡ、ＨＳＰＡ＋、およびＤＣ−ＨＳＤＰＡなどの４Ｇ、ＥＤＧＥ（エンハンストデータＧＳＭ（登録商標）環境）、ＥＶＤＯ、その他）などの、情報が送られ得る任意のワイヤレス遠隔通信方法を利用して実現されることが可能である。Ｗｉ−Ｆｉ（登録商標）能力は、デバイス１０１が、荷物がしばしば見られる屋内で、または屋外で適切に追跡されることを可能にし、ただし、Ｗｉ−Ｆｉ（登録商標）信号が、両方の事例において存在しなければならない。しかし、Ｗｉ−Ｆｉ（登録商標）は、多くの区域において利用可能でなく、このことは、一部の状況においてＷｉ−Ｆｉの有用性を限定する可能性がある。
【００４８】
[0075]また、追跡モジュール１１９および／または通信モジュール１２３は、追跡データの受信と発信される通信の両方を可能にするＧＳＭ（登録商標）を含んでもよい。本開示によるデバイスは、ＧＳＭ（登録商標）を利用して、セル塔データおよび三角測量などの追跡データを受信すること、および発信されるデータを送信することができる（そのデータが、ＧＰＳを介して、Ｗｉ−Ｆｉ（登録商標）を介して、ＧＳＭ（登録商標）自体を介して、またはそれ以外で獲得されたかどうかにかかわらず）。ＧＳＭ（登録商標）は、ユーザがサービスプロバイダに料金を支払うことを通常、要求し、ＧＰＳのカバレッジは、サービスプロバイダのカバレッジに基づく。
【００４９】
[0076]前述の技術の異なる組合せが、ユーザの選好に合うようにオプションを提供する。一実施形態において、ロックデバイス１０１は、位置を確立し、ユーザと通信するのにＷｉ−Ｆｉ（登録商標）だけを備えてよい。この構成は、Ｗｉ−Ｆｉ（登録商標）信号を有する任意のロケーションで動作する。そのような実施形態の２つの利益は、そのような実施形態が屋内で機能すること、および通信のためにサービス料金がかからないことである。しかし、前述したとおり、この実施形態は、Ｗｉ−Ｆｉ（登録商標）の要件、ならびにＷｉ−Ｆｉ（登録商標）を利用して通信するデバイスの能力（またはその欠如）によって制限される。デバイスがＷｉ−Ｆｉ（登録商標）を介して通信することができない実施形態において、情報は、有線接続、またはＢｌｕｅｔｏｏｔｈ（登録商標）接続などのワイヤレス接続を用いて、前述したとおり、後に情報が取り出されることを可能にするように記憶されることが可能である。１つだけの追跡機能を使用することは、電力を節約することが可能であり、ロックデバイス１０１の重量および体積を小さくする。
【００５０】
[0077]別の実施形態において、本開示によるロックデバイスは、ＧＰＳ信号だけを使用するように構成されてよい。このことは、ユーザが、ロックデバイス１０１の位置の事後解析を行うことを可能にし得るが、ＧＰＳは、データを送信するのに、Ｗｉ−Ｆｉ（登録商標）またはＧＳＭ（登録商標）などの他の信号に通常、依拠するので、追跡データのリアルタイムのワイヤレス伝送を可能にしない。このため、ＧＰＳだけを使用する実施形態は、ユーザがロックデバイス１０１を取り戻した後、ユーザに追跡データを提供することも可能である。この場合も、この構成は、２つまたは３つの機能を利用するデバイスと比べて、電力を節約し、重量および体積を小さくする。
【００５１】
[0078]別の実施形態において、本開示によるロックデバイスは、ＧＳＭ（登録商標）信号などのセルラ塔信号だけを使用するように構成されてよい。デバイスの位置は、セル塔を使用してデバイスのＧＳＭ（登録商標）信号を三角測量することによって確立されることが可能であり、発信されるデータは、ＧＳＭ（登録商標）信号を使用して送信されることが可能である。この実施形態は、追跡データのリアルタイムの伝送を可能にすることができるが、セル塔データに対するユーザのアクセスによって制限される可能性があり、現行のサービス料金を要求する可能性がある。この場合も、この構成は、２つまたは３つの機能を利用するデバイスと比べて、電力を節約し、重量および体積を小さくする。
【００５２】
[0079]一部の実施形態において、追跡モジュール１１９および／または通信モジュール１２３は、ＧＰＳとＧＳＭ（登録商標）の両方で構成されてよい。ＧＰＳが、位置追跡のために使用されることが可能である一方で、ＧＳＭ（登録商標）は、データの伝送のために使用されることが可能であり、ＧＰＳ信号が利用できないとき（多くの場合において、屋内で）などに、位置追跡のために使用されることも可能である。この構成は、通信のためのサービス料金を通常、要求するが、位置特定サービスは、ほぼ地球規模で機能する。さらに、ＧＰＳおよびＧＳＭ（登録商標）を用いた構成は、ＧＰＳが屋内で追跡することの困難、およびＧＳＭ（登録商標）が、追跡のためにセル塔データに現在、依拠していることに基づいて制限される可能性があり、すなわち、セルカバレッジのない屋内ロケーションにおける追跡は、困難であり得る。
【００５３】
[0080]一部の実施形態において、追跡モジュール１１９および／または通信モジュール１２３は、Ｗｉ−Ｆｉ（登録商標）とＧＳＭ（登録商標）の両方で構成されてよい。構成要素のこの組合せは、Ｗｉ−Ｆｉ（登録商標）を介する位置追跡、およびＧＳＭ（登録商標）を介してなどして、Ｗｉ−Ｆｉ（登録商標）の契約条件を通ることなしの通信を可能にし得るが、ＧＳＭ（登録商標）機能のためのサービス料金を通常、要求する。通信は、ユーザがセルカバレッジを有する、またはＷｉ−Ｆｉ（登録商標）ネットワークが利用可能である区域に限定され得る。
【００５４】
[0081]さらに別の実施形態において、追跡モジュール１１９および／または通信モジュール１２３は、Ｗｉ−Ｆｉ（登録商標）技術およびＧＰＳ技術を利用するように構成されてよい。この組合せは、屋外、およびＷｉ−Ｆｉ（登録商標）信号が存在する屋内での位置確立を可能にする。ＧＳＭ（登録商標）の除外は、サービス費用を回避し、電力消費を低減するが、ユーザに対する通信が、一部の事例以外では、Ｗｉ−Ｆｉ（登録商標）信号を介して可能でないことを意味する。さらに、前述したとおり、Ｗｉ−Ｆｉ（登録商標）を介した通信は、信号が存在する場合でさえ可能でないことがあり、このため、ユーザは、ロックデバイス１０１を取り戻した後になって初めて、追跡データを取り出さなければならない可能性がある。
【００５５】
[0082]ＧＰＳ、Ｗｉ−Ｆｉ（登録商標）、およびＧＳＭ（登録商標）のすべてを組み込んだロックデバイス１０１は、より重い、またはより大きいロックデバイス１０１をもたらす可能性があるものの、さらなる利益をもたらし得る。そのようなデバイスは、ＧＰＳを介して屋外で、地球規模で優れた追跡を行い、屋内追跡のためにＷｉ−Ｆｉ（登録商標）とＧＳＭ（登録商標）の組合せを使用することができる。さらに、ＧＳＭ（登録商標）を介した発信される通信は、Ｗｉ−Ｆｉ（登録商標）ネットワークを介した通信の複雑さのない一部の事例において、リアルタイムの追跡データおよび他の情報をユーザに提供することができる。
【００５６】
[0083]さらに、ＮＢ通信、ＧＰＳ、Ｗｉ−Ｆｉ（登録商標）、およびＧＳＭ（登録商標）のために構成された追跡モジュール１１９および／または通信モジュール１２３を有するロックデバイス１０１は、囲まれた区域および構造内で、遠隔ロケーションにおいてなど、向上した通信、および地球規模で追跡することを含むさらなる利益をもたらすことが可能である。
【００５７】
[0084]さらに、本開示の一部の実施形態は、ユーザが、いずれの機能が使用されるかを設定することを可能にする。例えば、ＮＢ機能、ＧＰＳ機能、Ｗｉ−Ｆｉ（登録商標）機能、およびＧＳＭ（登録商標）機能が可能であるデバイスに関して、ユーザは、ＧＳＭ（登録商標）が、特定の事例においてだけ必要とされると決定し、それ以外では、ＧＳＭ（登録商標）機能をディセーブルにすることも可能であり、これにより、ＧＳＭ（登録商標）利用の費用を少なくする（特に、例えば、月額ではなく、使用ベースで料金請求される場合に）。同様に、信号受信／送信機能のうちの１つまたは複数をディセーブルにすることが、バッテリ電力を節約することも可能である。例えば、一部の実施形態において、デバイスは、ＮＢによって通信をまず試みてから、より電力を多く使用する通信方法に移るように事前構成されてよい。例えば、荷物が、屋内にあること、または貨物室内にあるため、ＧＰＳ信号を断続的にしか受信することができない可能性がある、長い空の旅を含む旅行に関して、ユーザがＧＰＳをディセーブルにすることが可能である。同様に、ユーザは、一部の機能が、信号の受信と送信の両方（例えば、Ｗｉ−Ｆｉ（登録商標）位置情報の受信とＷｉ−Ｆｉ（登録商標）を介した情報の送信）のために使用されるか否か、または受信と送信のうちのいずれかのためにだけ使用されるか（例えば、Ｗｉ−Ｆｉ（登録商標）位置情報の受信のためだけに使用され、発信される通信は、そのオプションがイネーブルにされる場合、ＧＳＭ（登録商標）を介して実現され得る）否かをあらかじめ設定するために選択することができる。異なる多くの実施形態が可能である。
【００５８】
[0085]一部の実施形態において、ロックデバイス１０１は、１つまたは複数のセンサ１２５を含んでよい。センサ１２５は、高度計、ジャイロスコープ、加速度計、およびそれに類するものを含んでよい。センサ１２５は、ロックデバイス１０１が特定のモードにあるかどうかを決定し、後段でさらに説明されるとおり、アラート／通知を生成するのに使用されてよい。例えば、ロックデバイスが、時速１５０マイルを超えて移動している場合、ロックデバイスは、飛行機上にあることが可能であり、アラート／通知が、飛行機モードにより送信されてよい。別の実施例において、ロックデバイスが時速１〜２マイルで移動している場合、ロックデバイスは、荷物引渡用コンベヤ上にあることが可能であり、ロックデバイス１０１は、ユーザデバイス１０３にアラート／通知を送信するように構成されてよい。
【００５９】
[0086]一部の実施形態において、ロックデバイス１０１は、遭難モジュール１２７を含んでよい。遭難モジュール１２７は、ロックデバイス１０１の外側筐体上に位置付けられた１つまたは複数のボタンを含んでよい。特定の事前構成されたパターンでボタンを押し下げることが、ロックデバイス１０１にアラームまたは通知を生成させてよい。遭難モジュール１２７に関連付けられたボタンは、デバイスをロック解除するために使用されるボタンと別であっても、同一であってもよい。一部の実施形態において、遭難モジュールに関連付けられたボタンは、ロックデバイス１０１の筐体に沿って配置されてよく、場合により、ボタンを囲む区域が隆起しているように筐体に陥没していてよい。したがって、遭難ボタンは、それらのボタンが偶発的に押され得ないように配置されてよい。アラームまたは通知は、ロックデバイス１０１からユーザコンピューティングデバイス１０３および／またはサーバシステム１０７に送信されてよい。また、アラームまたは通知は、ロックデバイス１０１に記憶された１つまたは複数の連絡先にＳＭＳまたは他の通信手段を介して送信されてもよい。これらの連絡先は、ユーザインターフェース１１１を使用してロックデバイス１０１のユーザによって指定されてよい。さらに、事前構成されたパターンが、ロックデバイス１０１のユーザによって指定されてもよい。
【００６０】
[0087]例えば、遭難モジュール１２７は、短い期間内に或る回数、ボタンを押すことが、ロックデバイス１０１に、ロックデバイス１０１が通知するようにユーザが設定した人であれば誰にでも遭難信号を送信させるように構成されてよい。遭難信号（またはアラート／通知）は、時刻、日付、およびロックデバイス１０１が存在する場所などの情報を含んでよい。一部の実施形態において、遭難モジュール１２７は、ロックデバイスの筐体に沿って配置されたＬＥＤ照明または他のインジケータに結合されてよい。一部の実施形態において、ＬＥＤ照明またはインジケータは、ユーザが、事前構成されたパターンを押すことによって遭難モジュール１２７を作動させた場合、調整されてよい。
【００６１】
[0088]一部の実施形態において、ロックデバイス１０１は、不正変更モジュール１２９を含んでよい。不正変更モジュール１２９は、ロック機構が不正変更された場合、アラームまたは通知を生成するように構成されてよい。一部の実施形態において、不正変更モジュール１２９は、ロック機構のコネクタアームがディセーブルにされた場合、および／または不正変更された場合、アラームを生成してよい。例えば、コネクタアームは、コイル状の鋼鉄要素を含み、コネクタアームが切断された場合、不正変更モジュール１２９が、アラームまたは通知を生成してよい。一部の実施形態において、不正変更モジュール１２９は、スピーカシステムを含むようにさらに構成されてよい。そのような実施形態において、アラームは、スピーカシステムを介してノイズを発することを含んでよい。さらに、一部の実施形態において、不正変更モジュール１２９は、ロックデバイス１０１の外側筐体に沿って位置付けられるように構成されたカメラを含んでよい。さらに、不正変更モジュール１２９は、コネクタアームを囲む区域の画像（潜在的な窃盗犯を含む）を撮影するようにするカメラに対する命令を含んでよい。
【００６２】
[0089]一部の実施形態において、前述したロックデバイス１０１のモジュールおよび構成要素（ロックモジュール１１３と、探索アラートモジュール１１５と、電源モジュール１１７と、追跡モジュール１１９と、ストレージデバイス１２１と、通信モジュール１２３と、センサ１２５と、遭難モジュール１２７と、不正変更モジュール１２９とを含む）は、１つまたは複数のアラートおよび／または通知を生成するように一緒に動作してよい。アラートおよび通知は、サーバシステム１０７に送信されること、ユーザコンピューティングデバイス１０３のユーザに提供されること、ロックデバイス１０１によって発せられること（すなわち、光、音）、および／またはロックデバイス１０１上に表示されること（すなわち、光）が可能である。
【００６３】
[0090]一部の実施形態において、ロックデバイス１０１は、ロックデバイス１０１の位置を所定の時間間隔で自動的に決定するように構成されてよい。１つの特定の実施形態において、追跡モジュール１１９は（通信モジュール１２３と協働して）、一定の時間間隔で自動アラート／通知を生成してよい。一定の間隔は、ユーザの選好に基づいて構成されることが可能であり、または、毎秒、５秒ごと、３０秒ごと、毎分、またはその他の間隔などの特定の間隔で所定であることが可能である。これらの自動位置アラート／通知は、電力を多く消費する起動三角測量を防止することによって電力節約に役立ち、ロックデバイス１０１の常時の追跡をもたらす。決定された位置は、タイミング情報と一緒に、ストレージデバイス１２１上に記憶され得るアラートおよび／または通知を生成するのに使用されること、ユーザコンピューティングデバイス１０３に直接に送信されること、および／またはサーバシステム１０７に送信されることが可能である。
【００６４】
[0091]一部の実施形態において、自動位置アラート／通知が生成される頻度は、利用可能なバッテリ電力に基づいて調整されてよい。例えば、一部の実施形態において、電源モジュール１１７は、利用可能なバッテリ電力の指示を決定し、提供してよく、生成される自動位置アラート／通知の頻度は、利用可能なバッテリ電力に基づいて変更されてよい。例えば、バッテリ電力が一定の閾値（例えば、１５％の電力）を下回って低下した場合、位置アラート／通知は、より長い間隔でのみ（例えば、１時間単位で）生成されてよい。例えば、タイミング間隔は、３０秒、１分、２分、３分、５分、１０分、またはさらに長く延ばされてよい。
【００６５】
[0092]一部の実施形態において、自動位置アラート／通知が生成される頻度は、動作モードに基づいて調整されてよい。例えば、ロックデバイス１０１が、ロックデバイス１０１が飛行機上にあることが検出されるときに対応する、飛行機動作モードで動作することが可能である。飛行機動作モード中、ロックデバイス１０１は、より長い頻度で位置アラート／通知を生成するように構成されてよい。ロックデバイス１０１は、追跡モジュール１１９、通信モジュール１２３、および／またはセンサ１２５によって取り出されたデータおよび情報に基づいて、ロックデバイス１０１が飛行機内にあると決定してよい。例えば、或る速度または加速度（センサ１２５の加速度計、追跡モジュール１１９、および／または通信モジュール１２３によって検出される）で移動するロックデバイス１０１が、例えば、ロックデバイスが飛行機上にあることを示すことが可能である。一部の実施形態において、ロックデバイス１０１は、加速度計が、時速１５０マイルの速度以上で移動を検出した場合、飛行機モードに入るように構成されてよい。さらに、例えば、ロックデバイスが飛行機上にあることを同様に示すことが可能な、或る高度に達する、または高度の或る変化を経験する（センサ１２５の高度計、追跡モジュール１１９、および／または通信モジュール１２３によって検出される）ロックデバイス。別の実施例において、ロックデバイス１０１は、ロックデバイス１０１に含められた通信技術（例えば、ＮＢ、ＧＰＳ、ＧＳＭ（登録商標）、およびＷｉ−Ｆｉ（登録商標））からの信号を受信しないことを認識してよく、このことが、ロックデバイス１０１が飛行機上にあることをやはり示すことが可能である。さらに、ロックデバイス１０１は、飛行機のＷｉ−Ｆｉ（登録商標）信号だけを認識することが可能であり、このことが、一部の実例において、ロックデバイス１０１が飛行機上にあることを示すことができる。また、デバイス１０１は、ユーザがＷｉ−Ｆｉ（登録商標）信号の代金を支払ったとき、デバイス１０１が、Ｗｉ−Ｆｉ（登録商標）信号に対して限られたアクセス、または完全なアクセスを有して、それゆえ、ユーザに位置アラート／通知を通信することができ、それゆえ、ユーザの荷物がユーザとともに飛行機上にあるか否か（この状況が、自動位置アラート／通知を減らしもするか否かにかかわらず）をユーザが認識することを可能にするように、ユーザコンピューティングデバイス１０３につながれることも可能である。
【００６６】
[0093]前述の状況は、自動アラート／通知間隔が引き延ばされ得る状況の例として与えられたが、これらの状況のうちの１つまたは複数が満たされたとき、任意の数のアクションが、それらのアクションが自動アラート／通知間隔の引き延ばしを含むか否かにかかわらず、行われることが可能であることを理解されたい。
【００６７】
[0094]さらに、ロックデバイス１０１は、システム１００のユーザおよび／または管理者から受信された要求に応答してアラート／通知を生成するようにさらに構成されてよい。ユーザ要求は、ユーザコンピューティングデバイス１０３からのＳＭＳの形態でロックデバイス１０１によって受信されてよい。
【００６８】
[0095]ロックデバイス１０１は、不正変更モジュール１２９が、ロックデバイス１０１が不正変更されていると決定したとき、アラート／通知を生成するようにさらに構成されてよい。デバイスを不正変更することは、ロック機構のコネクタアーム内に埋め込まれたワイヤを切断することを含み得る。また、不正変更モジュール１２９は、ロックデバイスが或る量の振動（例えば、センサ１２５のジャイロスコープによって検出される）を経験した場合、ロックデバイス１０１が不正変更されたと決定してもよい。一部の実施形態において、接続デバイス１２０が壊されていること、または切断されていることを認識するために、ロックデバイス１０１は、接続アームが壊される、または切断されると、回路が開かれて、不正変更モジュール１２９に信号を送信するように構成されることが可能である。一部の実施形態において、アラート／通知は、ロックデバイス１０１からのカメラフラッシュ、閃光、音、またはその他の放出の形態であってよい。このことは、ロックデバイス１０１からユーザコンピューティングデバイス１０３および／またはサーバシステム１０７に送信されるアラート／通知に加えてであっても、その代わりであってもよい。
【００６９】
[0096]ロックデバイス１０１は、ロックモジュール１１３がロックデバイス１０１をロック解除したとき（例えば、前述した一次ロック解除機構、二次ロック解除機構、および／または三次ロック解除機構によって）、アラート／通知を生成するようにさらに構成されてよい。一部の実施形態において、アラート／通知は、ロックデバイス１０１が、一次ロック解除機構を使用して（例えば、デバイスの筐体上のボタン押し）ロック解除された場合に限って生成されてよい。代替として、アラート／通知は、ロックデバイス１０１が、ロックデバイス１０１に関連付けられた一次ユーザコンピューティングデバイスではないユーザコンピューティングデバイス１０３によってロック解除された場合に限って生成されてよい。例えば、アラート／通知は、ロックデバイス１０１に対して制限されたロック解除特権または一時的なロック解除特権を有するユーザコンピューティングデバイスがロックデバイス１０１をロック解除したときに生成されてよい。一部の実施形態において、アラート／通知は、ロックデバイス１０１が、不正変更アラート／通知に関連して前述した様態などの、他の様態で開けられた場合に生成されてもよい（その場合、そのタイプのアラート／通知は、不要である、または重複的であるが、同時の２つのアラート／通知が送信されることは、それ自体で、何かをユーザに伝えてもよい）。
【００７０】
[0097]ロックデバイス１０１は、電源モジュール１１７が、ロックデバイス１０１のためのバッテリが閾値（例えば、５％バッテリ寿命）を下回って低下したことを示すときにアラート／通知を生成するようにさらに構成されてよい。一部の実施形態において、電源モジュール１１７は、バッテリ電力を追跡するために通信モジュール１２３および／または追跡モジュール１１９に電子的に結び付けられてよい。
【００７１】
[0098]ロックデバイス１０１は、ロックデバイス１０１が、事前定義された区域（すなわち、ジオフェンス）に到着した、またはそこから離れたことをユーザコンピューティングデバイス１０３のユーザに知らせるように構成されたアラート／通知を生成するようにさらに構成されてよい。例えば、アラート／通知は、ロックデバイス１０１が、可動または静的であり得る目標ロケーションの或る付近内にあるとき、生成されてよい。例示的な目標ロケーションは、荷物引渡用コンベヤ、自宅、自動車、ユーザコンピューティングデバイス１０３、およびそれに類するものを含むが、以上には限定されない。
【００７２】
[0099]ロックデバイス１０１は、ロックデバイス１０１の構成要素に関するファームウェア更新が利用可能であることをユーザコンピューティングデバイス１０３のユーザに知らせるように構成されたアラート／通知を生成するようにさらに構成されてよい。さらに、ロックデバイス１０１は、ロックデバイス１０１に含められた通信技術および／または追跡技術のいずれかに関連付けられたサブスクリプションサービスが期限満了を迎える場合、アラート／通知を生成するように構成されてもよい。
【００７３】
[0100]また、ロックデバイス１０１は、第２のユーザにロックデバイス１０１に対するアクセスが与えられている場合、および／または第２のユーザがロックデバイス１０１をロックした、もしくはロック解除した場合、アラート／通知を生成して、ユーザコンピューティングデバイス１０３のユーザに提供するように構成されてもよい。
【００７４】
[0101]前述したアラート／通知のいずれも、ロックデバイス１０１（例えば、ストレージデバイス１２１）に、サーバシステム１０７に関連付けられたデータベース１０９上、および／またはユーザコンピューティングデバイス１０３のメモリ構成要素上に、分類され記録されてよい。一部の実施形態において、すべての非自動的に生成されたアラート／通知（例えば、非位置アラート／通知）が記録されてよい。代替として、一部の、またはすべての自動的に生成されたアラート／通知が、記録されてもよい。記録される／記録されないアラート／通知の異なる多くの組合せが可能であり、さらに、いずれのアラート／通知が記録され、いずれのアラート／通知が記録されないかは、状況および／またはユーザ入力に依存して変化してよい。
【００７５】
[0102]さらに、アラート／通知という用語は、発信される通信が要求されることを暗示しない（ただし、多くの事例において、発信される通信が生じる）。例えば、不正変更モジュール１２９および／またはロックモジュール１１３によって生成されたアラート／通知が、後の取出しのためにロックデバイス１０１内に単に記憶されてよい。異なる多くの組合せが可能であり、さらに、本明細書において説明される様々なアラート／通知の特性、および／またはその他の特性の組合せを含むカテゴリを含め、本明細書において説明されるもの以外のアラート／通知のカテゴリが、可能である。記録されたアラート／通知は、ロックデバイス１０１の一部であるストレージデバイス（ストレージデバイス１２１に類似した、もしくは同一のストレージデバイスなどの）、および／またはユーザのデバイスなどの別のロケーションに記憶されることが可能である。
【００７６】
[0103]ロックデバイス１０１の構成要素は、金属、非金属、プラスチック、合成材料、または当技術分野において知られているその他の材料などの、様々な異なる材料で作られ得るケースまたは筐体に密封されてよい。適切な材料の一例が、熱可塑性ポリマおよびアモルファスポリマ、例えば、ＡＢＳプラスチックである。ケースまたは筐体は、異なる多くの寸法であることが可能である。例えば、一部の実施形態は、長さ（左から右に示される）が約０．５インチから５インチまで、または１インチから３インチまで、または１．５インチから２．５インチまで、または約１．９インチ、高さ（上から下に示される）が約０．５インチから７インチまで、または１インチから５インチまで、または２インチから４インチまで、または約２．８２インチ、および幅（ページに入り込むように示される）が約０．１インチから１．５インチまで、または０．２インチから１インチまで、または０．４インチから０．８インチまで、または約０．６４インチの寸法である。ポリマの密度は、ロックデバイス１０１の電子構成要素の較正に基づくことが可能である。一部の実施形態は、約０．１ｇ／ｃｍ3から５ｇ／ｃｍ3、または０．５ｇ／ｃｍ3から２ｇ／ｃｍ3、または約１ｇ／ｃｍ3の密度を有するケースを含む。後段で明らかとなるとおり、プラスチック、特にＡＢＳプラスチックなどの非金属の利用が、追跡機能および信号送受信機能などのロックデバイス１０１の他の機能を可能にすることができる。
【００７７】
[0104]図２Ａ〜図２Ｌが、図１のロックデバイス１０１に対応するロックデバイス２００の実施形態の様々な図を与える。図２Ａ〜図２Ｌに示されるロックデバイス２００は、図１に示され、前段で説明されるロックデバイス１０１と同一の特徴、構成要素、および機能のうちの一部またはすべてを有してよい。
【００７８】
[0105]詳細には、図２Ａは、ＬＥＤインジケータ２０５によって取り囲まれたボタン２０３を含む上側２０１を有するロックデバイス２００の正面斜視図である。前述した方法およびシステムによれば、ボタン２０３は、ロックモジュール１１３などのロックモジュールに関連して使用されてよい。さらに、前述した方法およびシステムによれば、ＬＥＤインジケータ２０５は、ロックモジュール１１３などのロックモジュール、探索アラートモジュール１１５などの探索アラートモジュール、電源モジュール１１７などの電源モジュール、遭難モジュール１２７などの遭難モジュール、および／または不正変更モジュール１２９などの不正変更モジュールに関連して使用されてよい。図示されるとおり、ロックデバイス２００は、ロックデバイス２００の筐体上に配置された１つまたは複数の係合ポイント２１３と係合するように構成された終端２０７を有するコネクタアーム２０９を有するロック機構を含んでよい。一部の実施形態において、コネクタアーム２０９は、１つまたは複数のコイル状の鋼鉄線と、埋め込まれた電子配線を含んでよい。一部の実施形態において、電子配線は、電子配線を切断することがアラートおよび／または通知を生成するようにロックデバイス２００の不正変更モジュールと回路を形成してよい。終端２０７は、硬い成形された金属を含んでよい。図２Ａ〜図２Ｌに示されるロックデバイス２００の実施形態において、ロックデバイス２００の筐体は、コネクタアーム２０９の少なくとも一部分を受けるように構成された少なくとも１つの溝２１１を含む。溝２１１は、コネクタアーム２０９が、ロックデバイス２００が付加され得る物体と干渉しないように、コネクタアーム２０９をロックデバイス２００の近くに保つように構成されてよい。
【００７９】
[0106]図２Ｂは、ロックデバイス２００の後面斜視図である。図示されるとおり、ロックデバイス２００は、鍵穴２１５を有する底面を含んでよい。図１に関連して説明されるとおり、鍵穴２１５は、トラベルセントリ鍵などの二次ロック機構として使用されてよい。
【００８０】
[0107]図２Ｃは、ロックデバイス２００の上面図であり、図２Ｄは、下面図であり、図２Ｅは、第１の側面図であり、図２Ｆは、第２の側面図であり、図２Ｇは、第３の側面図である。
【００８１】
[0108]図２Ｈ〜図２Ｌは、コネクタアーム２０９がロックデバイス２００から外向きに拡げられた、第２の構成におけるロックデバイス２００の様々な図を提供する。例示される図において、コネクタアーム２０９は、溝２１１から脱離させられ、代わりに、溝２１１の反対側に位置付けられる。図２Ａ〜図２Ｇに示される構成から図２Ｈ〜図２Ｌに示されるデバイス２００の構成に移ると、コネクタアーム２０９が動いて、ロックデバイス２００に対して回転するように、コネクタアーム２０９の終端２０７がロックデバイス２００のロック機構から脱離することが可能である。その後、終端２０７は、ロックデバイス２００のロック機構と再び係合されてよい。
【００８２】
[0109]図３は、図１、および図２Ａ〜図２Ｌに示されるロックデバイス１０１および２００と類似したロックデバイス３００の実施形態を示す。図３に示されるロックデバイス３００は、図１に示され、前段で説明されるロックデバイス１００と同一の特徴、構成要素、および機能のうちの一部またはすべてを有してよい。図示されるロックデバイスは、ボタン３０３と、ロックデバイス３００の筐体に沿って位置付けられたＬＥＤインジケータ３０５とを含む。前述したとおり、ボタン３０３およびＬＥＤインジケータ３０５は、ロックデバイス３００のモジュールのうちの１つまたは複数に関連して使用されてよい。図３に示されるロックデバイス３００の実施形態において、組合せロックを含む一次ロック解除機構３１９が示される。
【００８３】
[0110]図３にやはり示されるのが、終端３０７Ａ、３０７Ｂを有するコネクタ３０９である。図示される実施形態において、第１の終端３０７Ａは、ロックデバイス３００の筐体に固定的に接続されてよい。第１の終端３０７Ａは、コネクタ３０９に３６０度、回転する能力を与える様態でロックデバイス３００の筐体に固定的に接続されてよい。第２の終端３０７Ｂが、ロックデバイス３００の筐体に解放可能に接続されるように構成されてよく、図３において、ロックデバイス３００から脱離させられたものとして示される。第２の終端３０７Ｂは、ロックデバイス３００のロック機構の係合ポイント３１３と係合するように構成された円筒状の留め具を被せられてよい。第２の終端３０７Ｂが係合ポイント３１３と係合したとき、ばね仕掛けのピンが、第２の終端３０７Ｂを定位置にロックしてよい。
【００８４】
[0111]図４Ａ〜図４Ｃは、本明細書において説明されるシステムにより構築されたロックデバイス４００の実施例を示す。図４Ａ〜図４Ｃに示されるロックデバイス４００は、図１に示され、前段で説明されるロックデバイス１０１と同一の特徴、構成要素、および機能のうちの一部またはすべてを有してよい。図４Ａは、筐体またはケース４０１を含む本開示によるロックデバイス４００の正面図である。図４Ｂおよび図４Ｃは、ロックデバイス４００の内部構成要素が見えるように、ケース４０１が透明に示された、図４Ａのロックデバイス４００の正面図および背面図をそれぞれ示す。
【００８５】
[0112]図４Ａ〜図４Ｃに示されるとおり、ロックデバイス４００は、例えば、ロックデバイス４００を、例えば、１つの荷物に接続するように構成された輪または他のデバイスであり得る接続デバイス（すなわち、接続アーム）を含んでよい。図示される実施形態において、接続デバイスまたは接続アームは、ロックデバイス４００の筐体またはケース４０１に固定的に付加された第１の終端４０３Ａを有する。接続アームの第２の終端４０３Ｂが、ロックモジュール４０７と係合するように構成された係合ポイント４０５においてロックデバイス４００に解放可能に付加するように構成される。例示されるロックモジュール４０７は、組合せロックであるロック解除機構を含む。図４Ａに示されるとおり、筐体４０１は、探索アラートインジケータＬＥＤ４０９を含んでもよい。探索アラートインジケータＬＥＤ４０９は、探索アラートモジュール４１３に結合されて、モジュール４１３から命令を受信してよい。図４Ｂおよび図４Ｃに示されるとおり、ロックデバイス４００は、バッテリ４１１と、１つまたは複数のポート４１５とを含む電源モジュール４１７を含んでもよい。図示されるとおり、バッテリ４１１は、例えば、追跡モジュールおよび／または通信モジュールを含むデバイスの他の電気構成要素に結合されてよい。
【００８６】
[0113]ロックモジュール４０７は、一部の実施形態において、独立した３つの様態でロック解除されることが可能である。バッテリ４１１は、ケース４０１における開口を介するなどして、交換可能であること、および／または、例えば、ライトニングポートまたはＵＳＢポート（旧来のＵＳＢ、ミニＵＳＢ、およびマイクロＵＳＢを含むが、以上には限定されない）であることも可能な充電ポート４１５を介する、または太陽光発電を介する、またはその他の充電手段を介するなどして、充電可能であってよい。また、ロックデバイス４００は、追跡電子機器４１９を含んでもよい。本明細書において「充電ポート４１５」と呼ばれるが、本明細書において説明される充電ポート４１５および他の任意のポートは、バッテリ電力を放電させること、またはロックデバイス４００から情報をアップロードすることなどの、他の機能を実行することができてもよい。他の実施形態において、別のポートが、異なる機能、または機能の異なる組合せのために利用されることが可能である。
【００８７】
[0114]図５は、ロックデバイス５００の別の実施形態を示す。図５に示されるロックデバイス５００は、図１に示され、前段で説明されるロックデバイス１０１と同一の特徴、構成要素、および機能のうちの一部またはすべてを有することができる。図示される実施形態において、ロックデバイス５００は、カメラ５２１と、フラッシュバルブ５２３とを有する不正変更モジュールを含む。また、ロックデバイス５００は、ロックデバイス５００の筐体５０１に固定された第１の終端５０３Ａと、ロックモジュール５０７と係合する／脱離するように構成された第２の終端５０３Ｂとを有する接続デバイスも含む。また、ロックデバイス５００は、バッテリ５１１と、ポート５１５とを有する電力モジュールも含む。他の多くの構成が可能である。
【００８８】
[0115]カメラ５２１は、様々な解像度およびレンズを利用することができる。カメラ５２１は、画像をキャプチャすること、およびその画像を、ロックデバイス５００のストレージデバイス上に記憶可能なデータに変換することができ得る（他の構成要素が、代わりに、この変換を実行することも可能であるものの）。代替として、またはさらに、このデータは、データを記憶する必要なしに、デバイス５００から直接に通信されることも可能である。ロックデバイス５００が不正変更されたとき、開けられたとき、または他の１つまたは複数の状況が生じると、カメラ５２１が、不正変更する個人および／または周囲の写真を撮影し、その写真を、ロックデバイス５０１のストレージデバイス上に記憶するようにトリガされることが可能である。そのようなトリガ、または写真の撮影、もしくはフラッシュ自体が、前述したアラート／通知をトリガすることも可能であることに留意されたい。カメラ５２１は、写真の撮影に先立って、不正変更する個人の顔を位置特定すべく顔認証技術を利用することができる。カメラ５２１は、フラッシュバルブ５２３が閃光を放ち、写真の被写体を照明するのと同じ瞬間に写真を撮影するように構成され得る。写真は、その記憶される形態、または配信される形態において、例えば、その写真が撮影された時刻およびロケーションなどの他の関連するデータに関連付けられてよい。カメラ５２１は、トラベルセントリ鍵を使用してロックモジュール５０７をロック解除するなど、二次ロック解除機構を使用してロックデバイス５００をロック解除する空港従業員を撮影するようにトリガされることが可能であり、それゆえ、空港従業員の説明責任を生じさせる。また、ロックデバイス５００は、前述した通信方法を介してユーザコンピュータデバイスに写真を送信するように構成されることも可能である。
【００８９】
[0116]１つの特定の実施形態において、ロックデバイス５００は、ロックデバイス５００を開ける人が、写真が撮影されていない場合でさえ、写真が撮影されたと思うように、フラッシュバルブ５２３からなど、フラッシュをもたらすように構成されてよい。この実施形態において、前述した機能するカメラ５２１のフラッシュバルブと類似した、または同一の機能するフラッシュバルブ５２３が、トリガがあると閃光を放つように構成されてよい。この実施形態は、カメラ５２１および／またはストレージデバイスなどの構成要素をなくすことによってロックデバイス５００の費用を低減する。機能するものであるか、模造であるかにかかわらず、構成要素の異なる多くの組合せが可能である。
【００９０】
[0117]図６Ａ〜図６Ｉは、ユーザコンピューティングデバイス上に表示されるように構成されたモバイルアプリケーション（すなわち、ユーザインターフェース）に関連付けられた様々な表示を例示する。図６Ａ〜図６Ｉに示されるモバイルアプリケーションは、図１に示され、前段で説明されるユーザインターフェース１１１と同一の特徴、構成要素、および機能のうちの一部またはすべてを有することが可能である。
【００９１】
[0118]前述したとおり、モバイルアプリケーションは、関連付けられたデータベース（サーバシステム１０７およびデータベース１０９などの）を有するサーバシステムに通信可能に結合されてよい。さらに、モバイルアプリケーションは、ロックデバイス（ロックデバイス１０１などの）に通信可能に結合されてもよい。後段で説明されるとおり、ユーザインターフェースを介して入力されたデータおよび情報は、サーバシステムおよび／またはロックデバイスに送信されて、記憶されてよい。サーバシステムおよび／またはロックデバイスは、ユーザインターフェースを介して受信されたデータおよび情報により動作してよい。
【００９２】
[0119]図６Ａは、前述したシステムの実施形態によるモバイルアプリケーション（すなわち、ユーザインターフェース）のためのログインページを例示する。一部の実施形態において、ログインページは、アプリケーションおよびロックシステムの概説を含み、ユーザから情報を受け取ってよい。ユーザから受け取れる情報は、名前、電話番号、電子メールアドレス、料金請求アドレス、郵送先アドレス、クレジット／デビットカード支払い情報、サービスプラン指示、ペアデバイス指示、デバイスに関する命名の選好を含んでよく、ユーザのモバイルデバイスから連絡先をインポートしてよい。さらに、アプリケーションにログインすると、ユーザは、遭難信号が送信され得る特定の連絡先を選択することができてよい。これらの連絡先は、ロックデバイスの遭難モジュールによってアラート／通知が送信される連絡先に対応してよい。さらに、ユーザは、遭難信号に関する事前定義されたパターンをセットアップすることができてよい。また、ユーザは、デバイスをロック解除するためにロックデバイスの表面上でユーザが手動で入力することができるコードをセットアップすることができてもよい。コードは、ボタン押しのパターンを含んでよい。さらに、ユーザは、ロックデバイスをロック解除するためにロックデバイスの近辺に位置するユーザコンピューティングデバイス上で入力され得る電子コードをセットアップすることができてもよい。一部の実施形態において、電子コードは、ロックデバイスに事前に関連付けられていないユーザコンピューティングデバイス上で入力されてよい。
【００９３】
[0120]図６Ｂは、前述したシステムの実施形態によるモバイルアプリケーション（すなわち、ユーザインターフェース）のための起動画面を例示する。一部の実施形態において、起動画面は、ロックデバイスの位置を表示するライブ追跡マップを含んでよい。例えば、ライブ追跡マップは、自動的に生成された位置アラート／通知によって提供される位置を表示してよい。ライブ追跡マップは、一般的なユーザコンピューティングデバイスに関連付けられ得る、複数のロックデバイス１０１と関係する情報を表示するように構成されてよい。例えば、家族が、複数のロックデバイスと一緒に移動する場合、アプリケーションは、家族の或る成員が、そのグループに関連付けられたすべてのロックデバイスの位置を見ることが可能であるように構成されてよい。また、起動画面は、ロックデバイス内に埋め込まれたＧＰＳデバイスと関係するコントロールにアクセスするボタンを含んでもよい。また、起動画面は、リフレッシュボタン、位置特定ボタン、アラート／通知カウントダウン、マップタイプ構成オプション、デバイス追加オプション、ズームイン／ズームアウト選好、およびメニューボタンを含んでもよい。リフレッシュボタンは、サーバシステムおよび／またはロックデバイスから受信されるデータおよび情報を更新するのに使用されてよい。位置特定ボタンは、ロックデバイスから位置情報を要求するのに使用されてよい。アラート／通知カウントダウンは、次回にロックデバイスから位置情報が予期されるときまでの時間を表示するように構成されてよい。マップタイプ構成オプションは、マップが衛星ビューで表示されるか、または単純なビューで表示されるかを調整してよい。デバイス追加ボタンは、モバイルアプリケーションが走っているユーザコンピューティングデバイスが、特定のロックデバイスに結び付けられること、または関連付けられることを可能にしてよい。ズームイン／ズームアウト選好は、マップの表示を調整してよい。メニューボタンは、ホーム画面、コマンド画面、アラート画面、および／または情報画面に対するリンクを含んでよい。
【００９４】
[0121]図６Ｃは、前述したシステムの実施形態によるモバイルアプリケーション（すなわち、ユーザインターフェース）のためのダッシュボード画面を例示する。ダッシュボードは、バッテリ寿命の指示、ロックデバイスが移動しているか、または静止しているかの指示を表示し、ユーザが、リアルタイムでデバイス間で切り替えることを可能にし、ロックデバイスの記述を（写真とともに）提供してよい。また、ダッシュボードは、ロックデバイスに関連付けられたアドレスを表示してもよい。また、ダッシュボードは、ＧＰＳ履歴、Ｗｉ−Ｆｉ（登録商標）履歴、移動の速度、衛星強度、追跡情報、およびロックデバイスに関連付けられた履歴データを示してもよい。また、ダッシュボードは、ロックデバイスをロック解除する、またはロックするオプションをユーザに提供してもよい。ダッシュボードは、ユーザがデバイスをロック解除することを所望するのに用いる通信モード（例えば、Ｂｌｕｅｔｏｏｔｈ（登録商標）通信、Ｗｉ−Ｆｉ（登録商標）通信、ＮＢ通信、ＧＳＭ（登録商標）、その他）を選択することを可能にするようにさらに構成されてよい。
【００９５】
[0122]図６Ｄは、前述したシステムの実施形態によるモバイルアプリケーション（すなわち、ユーザインターフェース）のためのコントロールパネル画面を例示する。コントロールパネルは、コマンドパネル、アラート表示、ジオフェンス設定オプション、デバイス帯域幅設定モード、日付／時刻情報パネル、共有ロケーション／遠隔共有パネル、履歴パネル、および／またはナビゲーションコントロールパネルに対するリンクを含んでよい。
【００９６】
[0123]図６Ｅは、前述したシステムの実施形態によるモバイルアプリケーション（すなわち、ユーザインターフェース）のためのコマンドパネル（またはコマンドメニュー）を例示する。コマンドメニューは、ユーザが、遭難モジュールに関連付けられた１つまたは複数の緊急時連絡先を入力すること、編集すること、および／または削除することを可能にするように構成されてよい。連絡先情報は、電話番号、電子メールアドレス、およびそれに類するものを含んでよい。また、コマンドパネルは、低バッテリ／節約モードと関係する設定を含んでもよい。一部の実施形態において、設定は、バッテリレベルの１５％にデフォルトで設定されてよい。コマンドメニューは、緊急時連絡先に対する通信がテキストを介して送信されるか、呼出しを介して送信されるか、または両方を介して送信されるかなどの、遭難モジュールと関係する設定を含んでもよい。
【００９７】
[0124]さらに、コマンドメニューは、遭難モジュールが１つまたは複数の緊急時連絡先に通信を送信するようにトリガする一連のボタン押しをユーザが構成することを可能にしてよい。例えば、一実施形態において、遭難ボタンを２回、押して、遭難ボタンを３秒間、押し下げたままにすることが、遭難モジュールを無効にしてよい。別の実施例において、遭難ボタンを３秒間、押して、保持することが、連絡先にアラートしてよい。別の実施例において、遭難ボタンを迅速に連続して２回、押して、保持することが、単一の連絡先にアラートしてよい。別の実施例において、遭難ボタンを迅速に連続して３回、押して、保持することが、ネットワーク管理者（例えば、テーマパーク、学校、オフィス）にアラートしてよい。別の実施例において、遭難ボタンを迅速に連続して４回、押して、保持することが、当局にアラートしてよい。別の実施例において、遭難ボタンを迅速に連続して５回、押して、保持することが、予約されたアラートをトリガしてよい。コマンドパネルは、ユーザが遭難モジュールをイネーブルにすること、および／またはディセーブルにすることを可能にするようにさらに構成されてよい。また、コマンドパネルは、ロックデバイス内に埋め込まれた通信追跡技術および通信技術（例えば、Ｗｉ−Ｆｉ測位、ＮＢ測位、ＧＳＭ（登録商標）測位、Ｂｌｕｅｔｏｏｔｈ（登録商標）シグナリング、ＧＰＳ測位）のうちの１つ以上をイネーブルにする、またはディセーブルにするようにさらに構成されてもよい。さらに、コマンドメニューは、ロックデバイスによって発せられる任意の可聴アラームに関連付けられた設定を調整するように構成されてよい。
【００９８】
[0125]また、コマンドメニューは、以下、すなわち、探索トーン長制御、遠隔シャットダウン、近接性検出（トーン設定／振動パターン設定）、自動アラート／通知頻度設定、優先選好設定（ＮＢ通信、ＧＳＭ（登録商標）、Ｗｉ−Ｆｉ（登録商標）、Ｂｌｕｅｔｏｏｔｈ（登録商標））、ファームウェアに関する自動更新、飛行機モード、スタンバイ／停止サイン時間、速度（毎時キロ数、毎時マイル数）、測定（目安、標準）、および／または自動スタンバイのうちの１つまたは複数に関連付けられたパラメータおよび設定をユーザが調整することを可能にしてもよい。
【００９９】
[0126]また、コマンドメニューは、ロックデバイスをロック解除するのに使用される１つまたは複数のパスコードをユーザが変更するのを可能にするように構成されてもよい。また、コマンドメニューは、ユーザが、特定のロックデバイスに関するアクセスを、モバイルアプリケーションをダウンロードした他のユーザと共有することを可能にしてもよい。一部の実施形態において、ロックデバイスに対するロック解除アクセスおよびその他の許可は、１名のユーザ（すなわち、一次ユーザ）によって、モバイルアプリケーションをダウンロードした他のユーザ（すなわち、二次ユーザ）に与えられてよい。一次ユーザは、二次ユーザに与えられるアクセスのレベルを選択してよい。例えば、二次ユーザは、完全なアクセス（二次ユーザが、すべてのユーザ選好を編集してよい）、制限されたアクセス（二次ユーザが、選択されたユーザ選好を編集してよい、または変更してよい）、およびロック解除のみのアクセス（二次ユーザが、ロックデバイスをロックすること／ロック解除することしかできない）を許されてよい。
【０１００】
[0127]図６Ｆは、前述したシステムの実施形態によるモバイルアプリケーション（すなわち、ユーザインターフェース）のためのアラートおよび通知メニューを例示する。アラートおよび通知メニューは、ユーザが、以下、すなわち、すべてのアラート、遭難アラート、低バッテリ、飛行機モード、ジオフェンスを出る、ジオフェンスに入る、急加速、急減速、ＧＰＳデッドゾーンに入る、ＧＰＳデッドゾーンを出る、ＷＩＦＩゾーンに入る、ＷＩＦＩゾーンを出る、ＮＢゾーンに入る、ＮＢゾーンを出る、ＧＳＭ（登録商標）ゾーンに入る、ＧＳＭ（登録商標）ゾーンを出る、Ｂｌｕｅｔｏｏｔｈゾーンを出る、Ｂｌｕｅｔｏｏｔｈゾーンに入る、動き（急な開始／急な停止）、速度超過、電源オフ、ファームウェア更新、近接性検出、広告、ロックが閉じられている、およびロックが開けられている（アプリケーション、ＴＳＡ鍵、共有ユーザ、破壊されたケーブルを介して）のうちの１つまたは複数に関するアラートおよび／または通知を受信することを選好するかどうかを選択することを可能にしてよい。
【０１０１】
[0128]図６Ｇは、前述したシステムの実施形態によるモバイルアプリケーション（すなわち、ユーザインターフェース）のためのジオフェンスを例示する。ジオフェンスとは、指定された境界を出ること、またはそのような境界に入ることが、ロックデバイスがアラート／通知をもたらすことをトリガし得る、ロックデバイスに関連付けられた境界を指すことが可能である。モバイルアプリケーションを介して調整されること、または入力されることが可能なジオフェンスに関連付けられた設定は、ジオフェンスを追加すること、ジオフェンスを編集すること、ジオフェンスを削除すること、ジオフェンスに入るときおよび／またはジオフェンスを出るときにアラートをもたらすこと、ジオフェンスをイネーブルにすること／ディセーブルにすること、ならびにジオフェンスに関するアドレスおよび／または半径を入力することを含んでよい。
【０１０２】
[0129]図６Ｈは、ユーザが、ロックデバイスについての履歴情報を見ることを可能にする前述したシステムの実施形態によるモバイルアプリケーション（すなわち、ユーザインターフェース）のための履歴メニューを例示する。履歴メニューは、ユーザが、カスタムの日付／時刻によって、または今日、昨日、先週などの事前定義された期間によってロックデバイスの履歴を探索することを可能にしてよい。さらに、ユーザは、たどられる経路によってロックデバイスの位置を見ること、および／またはロックデバイスによって発せられるアラート／通知によってロックデバイスの位置を見ることができてよい。
【０１０３】
[0130]図６Ｉは、ユーザが、ロックデバイスについての履歴情報を見ることを可能にする前述したシステムの実施形態によるモバイルアプリケーション（すなわち、ユーザインターフェース）のためのＷｉ−Ｆｉ（登録商標）ハブメニューを例示する。メニューは、ユーザが、ソーシャルメディアアプリケーション上でロックデバイスと関係する情報を共有することを可能にし、ユーザが、ロックデバイスによって提供されるＷｉ−Ｆｉハブに対するアクセスを決められた数のユーザに与えることを可能にすること、Ｗｉ−Ｆｉハブユーザ情報を追加すること、通信に関してデータサイズ制限（例えば、テキスト当たり１ＭＢの最大ファイルサイズ）が存在することをＷｉ−Ｆｉハブのユーザに開示すること、および／またはユーザコンピューティングデバイスの電話カメラに対するアクセスをユーザに提供することを可能にしてよい。
【０１０４】
[0131]前述したとおり、一部の実施形態において、ロックデバイスの追跡電子機器および／または通信電子機器によって生成されるデータは、１名または複数名のさらなるユーザ（例えば、第２のユーザ）に送信されることが可能である。そのような機能は、例えば、そのさらなるユーザが、空港から一次ユーザを車に乗せることを担う場合、有用である。そのような状況において、さらなるユーザは、一次ユーザの位置について常に最新情報を得ているようにロックデバイスによって生成されるデータに対するアクセスを与えられていることが可能である。そのような情報は、両方のユーザに関して空港で待っている時間を短くすることを可能にする。データを第２のユーザまたはさらなるユーザに送信することは、他の状況において、例えば、荷物が盗まれ、一次ユーザが警察または他の当局に追跡データを提供するとき、有用であることを理解されたい。
【０１０５】
[0132]一部の実施形態において、ユーザインターフェースとサーバシステムは、ユーザが、サーバシステムと接続することができないロックデバイス、および／またはロックデバイスの指定されたユーザコンピューティングデバイスを見つけることを可能にし得るクラウドソーシングによる共有プラットフォームを形成してよい。例えば、ロックデバイスから信号を拾う指定されていないユーザコンピューティングデバイスが、サーバシステムにロックデバイスの情報を中継するように構成されてよい。さらに、その後、サーバシステムが、指定されたユーザにロックデバイスの位置と関係する情報を提供してよい。
【０１０６】
[0133]一部の実施形態において、ロックデバイスによって生成されるデータは、ユーザコンピューティングデバイス（例えば、モバイルデバイスまたはコンピュータ）上のモバイルアプリケーションにおいて視覚的に表現されることが可能であり、ロックデバイスの位置に関するユーザのコンピュータまたはモバイルデバイスの位置に基づく地理的基準点を提供する。
【０１０７】
[0134]一部の実施形態において、ユーザは、ロックデバイスによって生成されたデータから多くの情報を集めることができ、利用可能な情報は、少なくとも部分的に、いずれの追跡技術がデバイスに存在するかに基づく。例えば、追跡データのリアルタイムの伝送（ＧＳＭ（登録商標）を介するなどの）を可能にする構成が、ユーザが、例えば、ユーザの荷物が正しい飛行機上にあるかどうか、盗まれた荷物の位置、および荷物がいつ、荷物引渡用コンベヤにおいて引き取られる準備ができるかを知ることを可能にすることができる。この機能は、ロックデバイスの位置を記録に残すこと、およびユーザの荷物が適切に扱われていないとき、そのことをユーザが迅速に決定することを可能にすることによって窃盗を抑止する。
【０１０８】
[0135]一部の実施形態において、開示されるデバイスは、不正変更モジュールに関連してスプレーデバイスを装備させられてよい。デバイスが不正変更されたとき、開けられたときなどの、特定のトリガイベントが生じると、または他の状況が生じると、またはユーザの手動の操作によって、デバイスは、溶液、例えば、唐辛子スプレー、メイス、または当技術分野において知られている他の類似した溶液を噴霧することができる。多くの異なる溶液が可能である。スプレーデバイスは、ユーザの個人所有物に対する望ましくないアクセスを抑止するのに役立つ。
【０１０９】
[0136]一部の実施形態において、ロックデバイスは、他のデバイス、例えば、セル電話を充電する電源として使用されることが可能である。デバイスは、ユーザがバッテリを充電すること、および放電させることを可能にする、例えば、ライトニングポート、ＵＳＢポート（旧来のＵＳＢ、ミニＵＳＢ、およびマイクロＵＳＢを含むが、以上には限定されない）、または他の類似したポートを含むことが可能な、入力充電ポートおよび出力充電ポート、または双方向充電ポートを装備させられてよい。一部の実施形態は、バッテリを充電することとバッテリから放電させることの両方のために単一のポートを利用することができる。また、ワイヤレス充電（例えば、太陽光発電を介した）などの他の充電方法も可能であるとともに、３つ以上のポートを含む実施形態、および２つ以上の出力充電ポートおよび／または入力充電ポートを含む実施形態も可能である。
【０１１０】
[0137]別の実施形態において、デバイスは、ユーザにＷｉ−Ｆｉ（登録商標）を提供するように構成されることが可能である（Ｗｉ−Ｆｉ（登録商標）ハブとも呼ばれる）。この実施形態は、インターネットに対するアクセスをユーザの他のデバイスに提供するとともに、デバイスがＷｉ−Ｆｉ（登録商標）ネットワークの範囲内にあるとき、通信のためのＧＳＭ（登録商標）の必要性を解消する。Ｗｉ−Ｆｉ（登録商標）ハブは、ＬＴＥ（登録商標）／ＧＳＭ（登録商標）セルラ受信が限られている、または存在しない区域においてロックデバイスからＳＭＳメッセージを送信するのに使用されてよい。
【０１１１】
[0138]さらに別の実施形態において、ロックデバイスは、例えば、時計もしくはブレスレット、ネックレス、ベルトのバックル、またはその他のアクセサリとしてユーザの身体に装着可能であるように構成されてよい。ロックデバイスは、モジュラシステムの一部であってよく、ここにおいて、ロックは、ユーザの身体から迅速に取り外されて、ロックとしての機能において使用されることが可能である。そのようなモジュラシステムにおいて、その場合、ロック機構は、別のアクセサリ、例えば、ロック機能を有さない時計の盤面によって置き換えられてよい。ロックデバイスが装着可能であるように構成される別の実施形態において、ユーザが、例えば、時計、ブレスレット、またはネックレスとしてデバイスを装着するのに利用するストラップは、金属、ポリマ、プラスチック、その他などの耐久性のある材料で作られ、デバイスの接続デバイスとして動作する。一部の実施形態において、時計バンドまたはブレスレット本体などの、装着可能なデバイスの一部分が、いくつかの実例において、装着可能なデバイス（時計、ブレスレット、その他）全体またはほぼ全体がロックデバイスとして使用されることを可能にする、図３からの接続アームに類似した接続デバイスの役割をすることができる。一部の実施形態において、ロックデバイスは、ロックデバイスが子供、アスリート、およびそれに類する人々によって使用され得るように、靴紐および／またはＶｅｌｃｒｏ（登録商標）ストラップに付加されるように構成されてよい。一部の実施形態において、ロックデバイスは、ロックデバイスがベルト、ベルト通し、およびそれに類するものに付加されることを可能にする、筐体に沿って位置付けられたクリップを含んでよい。一部の実施形態において、クリップは、ロックデバイスのコネクタデバイスを、ロックデバイスのユーザから離れるように位置付けてよい。
【０１１２】
[0139]さらに別の実施形態において、図１のロックデバイス１０１などのロックデバイスは、デバイスがＧＰＳ信号も、Ｗｉ−Ｆｉ（登録商標）信号も、ＧＳＭ（登録商標）信号も受信していないときでさえ、ロックデバイスがユーザデバイスと通信することが、ロックデバイスとユーザデバイスが或る近接性の範囲内にある限り、可能であるように、Ｂｌｕｅｔｏｏｔｈ（登録商標）通信デバイスまたは類似した通信デバイスを含むことが可能である。このことは、例えば、ユーザの荷物が、その荷物がＧＰＳ信号も、Ｗｉ−Ｆｉ（登録商標）信号も、ＧＳＭ（登録商標）信号もまったく受信していない可能性がある、飛行機上に積み込まれているか否かを確認するために使用されることが可能である。
【０１１３】
[0140]本明細書において説明される追跡機能を有するロックデバイスは、様々な環境において利用されてよい。例えば、ロックデバイスは、狭帯域通信技術が、セルラ塔が損傷を受けている可能性がある場合でさえ、機能するように構成されるので、自然災害が生じた場合に使用されてよい。また、狭帯域通信技術の使用は、ロックデバイスが、セル受信から遠く離れたロケーションにおいて使用されることを可能にしてもよい。例えば、狭帯域技術は、樹木が密生する区域または雪が大量に積もった区域において使用されてよい。また、ロックデバイスは、商業アプリケーションおよび／または海洋アプリケーション（例えば、船、スキューバダイバを追跡すること）において使用されてもよい。一部の実施形態において、ロックデバイスの遭難モジュールは、ストレスの多い環境および／または危険な環境（例えば、攻撃、嫌がらせ、いじめ）においてアラートをもたらすのに使用されてよい。例えば、遭難ボタンが、短い期間内に或る回数、押された場合、ボタンは、生徒によって、生徒がいじめられている、または嫌がらせを受けていることを生徒の学校からの誰か（場合により、セキュリティの長）に通知するのに使用されてよく、そのアラート／通知は、ユーザがいるところの時刻／日付／場所スタンプを含んでよい。
【０１１４】
[0141]一部の実施形態において、本明細書において説明される追跡機能を有するロックデバイスは、任意の適切な品目を追跡するのに使用されてよい。詳細には、ロックデバイスは、物体に巻き付くこと、係合すること、クリップで留まること、押し下げること、または付加することが可能なコネクタデバイスを含んでよい。一部の実施形態において、ロックデバイスは、「装着可能な」構成でユーザと係合してよい。例えば、ロックデバイスは、ベルトに、もしくはバックルにクリップで留められてよく、または靴紐およびそれに類するものに係合されてよい。
【０１１５】
[0142]一部の実施形態において、追跡機能を有するロックデバイスは、個人（例えば、子供、高齢の個人、アルツハイマー病の患者）、およびそれに類するものを追跡するのに使用されてよい。また、ロックデバイスは、ペットを追跡するのに使用されることも可能である。追跡することは、混雑した区域において実行されることが可能である。
【０１１６】
[0143]一部の実施形態において、ロックデバイスは、車両、または他の移動する物体に付加されてよい。
【０１１７】
[0144]一部の実施形態において、ロックデバイスの情報は、送信者と受信者の両方が、リアルタイムで小包を追跡することができるように、または航空会社および乗客がリアルタイムで荷物を追跡することが可能であるように、２名以上の個人の間で共有されてよい。一部の実施形態において、追跡情報は、警察または他の当局と共有されてよい。
【０１１８】
[0145]図７は、本開示の実施形態により構築されたシステムにおいて使用されるコンピューティングデバイスに関するシステム図である。図７は、コンピュータシステム７００の例示的な形態におけるマシンの機能ブロック図を示し、システム７００内で、マシンに、本明細書において説明される方法、プロセス、または機能のうちの任意の１つまたは複数を実行させるための命令のセットが実行されてよい。一部の実施例において、マシンは、前述したとおり他のマシンに接続されて（例えば、ネットワーク化されて）よい。マシンは、クライアント−サーバ環境におけるサーバマシンもしくはクライアントマシンの能力で、またはピアツーピア（もしくは分散型）ネットワーク環境におけるピアマシンとして動作してよい。マシンは、本明細書において説明される機能を実行するためにそのマシンによって行われるべきアクションを指定する命令のセットを（順次に、またはそれ以外で）実行することができる任意の汎用マシンであってよい。さらに、単一のマシンが例示されるものの、「マシン」という用語は、本明細書において説明される方法のうちの任意の１つまたは複数を実行するように命令のセット（または複数のセット）を個々に、または共同で実行するマシンの任意の集まりを含むものとしても解釈されるべきである。一部の実施例において、図１のユーザコンピューティングデバイス１０３、ロックデバイス１０１、および／またはサーバシステム１０７は、図７に示される例示的なマシン（または２つ以上のそのようなマシンの組合せ）によって実装されてよい。
【０１１９】
[0146]例示的なコンピュータシステム７００は、データおよび制御バス７０１を介して互いに通信することが可能な、処理デバイス７０３と、メモリ７０７と、データストレージデバイス７０９と、通信インターフェース７１５とを含んでよい。また、一部の実施例において、コンピュータシステム７００は、ディスプレイデバイス７１３および／またはユーザインターフェース７１１を含んでもよい。
【０１２０】
[0147]処理デバイス７０３は、限定されることなしに、マイクロプロセッサ、中央処理装置、特定用途向け集積回路（ＡＳＩＣ）、フィールドプログラマブルゲートアレイ（ＦＰＧＡ）、デジタルシグナルプロセッサ（ＤＳＰ）、および／またはネットワークプロセッサを含んでよい。処理デバイス７０３は、本明細書において説明される動作を実行するために処理ロジック７０５を実行するように構成されてよい。一般に、処理デバイス７０３は、本明細書において説明される動作を実行するように処理ロジック７０５が特にプログラムされた任意の適切な専用処理デバイスを含んでよい。
【０１２１】
[0148]メモリ７０７は、処理デバイス７０３によって実行可能なコンピュータ可読命令７１７を記憶する、例えば、読取り専用メモリ（ＲＯＭ）、ランダムアクセスメモリ（ＲＡＭ）、フラッシュメモリ、ダイナミックＲＡＭ（ＤＲＡＭ）、およびスタティックＲＡＭ（ＳＲＡＭ）を、限定されることなしに含んでよい。一般に、メモリ７０７は、本明細書において説明される動作を実行するために処理デバイス７０３によって実行可能なコンピュータ可読命令７１７を記憶する任意の適切な非遷移的コンピュータ可読記憶媒体を含んでよい。１つのメモリデバイス７０７が図７に例示されるものの、一部の実施例において、コンピュータシステム７００は、２つ以上のメモリデバイス（例えば、ダイナミックメモリおよびスタティックメモリ）を含んでよい。
【０１２２】
[0149]コンピュータシステム７００は、他のコンピュータと直接に通信するため（有線通信および／またはワイヤレス通信を含む）、および／またはネットワーク１０５（図１参照）と通信するための通信インターフェースデバイス７１１を含んでよい。一部の実施例において、コンピュータシステム７００は、ディスプレイデバイス７１３（例えば、液晶ディスプレイ（ＬＣＤ）、タッチセンシティブディスプレイ、その他）を含んでよい。一部の実施例において、コンピュータシステム７００は、ユーザインターフェース４１１（例えば、英数字入力デバイス、カーソル制御デバイス、その他）を含んでよい。
【０１２３】
[0150]一部の実施例において、コンピュータシステム７００は、本明細書において説明される機能のうちの任意の１つまたは複数を実行するための命令（例えば、ソフトウェア）を記憶するデータストレージデバイス７０９を含んでよい。データストレージデバイス７０９は、ソリッドステートメモリ、光媒体、および磁気媒体を、限定されることなしに含む任意の適切な非遷移的コンピュータ可読記憶媒体を含んでよい。
【０１２４】
[0151]本開示は、本開示のいくつかの好ましい構成を参照して詳細に説明されてきたものの、他のバージョンが可能である。本開示の実際の範囲は、開示される実施形態だけでなく、本開示を実施する、または実装するすべての均等の様態も包含する。本開示の実施形態の前述した詳細な説明は、網羅的であることも、以上に開示される形態そのものに、または本開示において述べられる特定の使用分野に本開示を限定することも意図していない。本開示の特定の実施形態、および本開示に関する実施例は、例示的な目的で以上に説明されるが、当業者は認識するとおり、本開示の範囲内で様々な均等の変形形態が可能である。以上に説明される様々な実施形態の要素および動作は、様々な実施形態をもたらすように組み合わされてよい。さらに、本明細書において提供される本開示の教示は、ロック以外の製品およびシステムに適用されてよい。
【図１】
2020527206.tif 000003
【図２Ａ】
2020527206.tif 000004
【図２Ｂ】
2020527206.tif 000005
【図２Ｃ】
2020527206.tif 000006
【図２Ｄ】
2020527206.tif 000007
【図２Ｅ】
2020527206.tif 000008
【図２Ｆ】
2020527206.tif 000009
【図２Ｇ】
2020527206.tif 000010
【図２Ｈ】
2020527206.tif 000011
【図２Ｉ】
2020527206.tif 000012
【図２Ｊ】
2020527206.tif 000013
【図２Ｋ】
2020527206.tif 000014
【図２Ｌ】
2020527206.tif 000015
【図３】
2020527206.tif 000016
【図４Ａ】
2020527206.tif 000017
【図４Ｂ】
2020527206.tif 000018
【図４Ｃ】
2020527206.tif 000019
【図５】
2020527206.tif 000020
【図６Ａ】
2020527206.tif 000021
【図６Ｂ】
2020527206.tif 000022
【図６Ｃ】
2020527206.tif 000023
【図６Ｄ】
2020527206.tif 000024
【図６Ｅ】
2020527206.tif 000025
【図６Ｆ】
2020527206.tif 000026
【図６Ｇ】
2020527206.tif 000027
【図６Ｈ】
2020527206.tif 000028
【図６Ｉ】
2020527206.tif 000029
【図７】
2020527206.tif 000030
【国際調査報告】
2020527206.tif 000031